(57)【要約】【課題】外観そのものを光空間に設置したときに違和感のない美しいものとし、且つ、周囲を照らす際の印象を可変可能な面発光装置を提供する。【解決手段】発光面を含む面発光モジュール１０と、壁面固定部材１１とを可動部を介して連結した面発光装置１を形成する。このとき、可動部の可動により、基準姿勢と、基準姿勢から発光面を４５度以上となる所定角度回転させた姿勢の切り替えを可能なものとする。そして、基準姿勢では、平面視したとき、面発光モジュール１０と、壁面固定部材１１の一部とが重なるものとする。さらに、基準姿勢では、取付面への固定時に取付面から最も外側に位置する部分において、面発光モジュール１０の一主面と壁面固定部材１１の平面とが取付面と平行となる同一平面上に位置する構造とする。【選択図】図２
2018060681.tif 000002
【特許請求の範囲】
【請求項１】
面発光モジュールと、壁面固定部材を含む面発光装置であって、
前記面発光モジュールは、発光面を含む面発光パネルと、前記面発光パネルを固定するフレーム部を有し、
前記壁面固定部材は、固定対象物の取付面に固定可能であり、前記面発光モジュールと可動部を介して連結されるものであり、
前記可動部の可動により、基準姿勢と、前記発光面が前記基準姿勢から４５度以上となる所定角度回転した姿勢をとることが可能であり、
前記基準姿勢では、平面視において、前記面発光モジュールと、前記壁面固定部材の少なくとも一部が重なるものであり、
さらに前記基準姿勢では、前記取付面への固定時に前記取付面から最も外側に位置する部分において、前記面発光モジュールの一主面と前記壁面固定部材の平面とが前記取付面と平行となる同一平面上に位置することを特徴とする面発光装置。
【請求項２】
前記固定対象物の前記取付面は、天井、壁、床からなる群から選ばれる１以上の壁面であり、前記発光面が前記基準姿勢から８５度以上９５度以下となる所定角度回転した姿勢をとることが可能であることを特徴とする請求項１に記載の面発光装置。
【請求項３】
前記可動部がユニバーサルジョイントによって形成されることを特徴とする請求項１又は２に記載の面発光装置。
【請求項４】
前記固定対象物の前記取付面に固定され、前記可動部の可動によって前記面発光モジュールが可動する際、前記面発光モジュールが可動域内のいずれの位置に配された状態においても前記取付面を照らすことが可能なことを特徴とする請求項１乃至３のいずれかに記載の面発光装置。
【請求項５】
前記固定対象物の前記取付面に固定され、前記基準姿勢をとる状態では、前記面発光モジュールと前記取付面の間に空間が形成され、当該空間を照らすことが可能なことを特徴とする請求項１乃至４のいずれかに記載の面発光装置。
【請求項６】
前記基準姿勢において同一平面上に位置する前記面発光モジュールの一主面と前記壁面固定部材の平面とが離間しており、前記面発光モジュールと前記壁面固定部材の間に隙間が形成されていることを特徴とする請求項５に記載の面発光装置。
【請求項７】
前記空間は、前記面発光モジュールの縁端部分と前記取付面の間に外部との境界となる境界部分を有するものであり、当該境界部分は前記面発光モジュールの縁端部分に沿って連続するものであって、前記境界部分の一部の外側に前記壁面固定部材が位置していることを特徴とする請求項５又は６に記載の面発光装置。
【請求項８】
前記基準姿勢から所定角度回転した姿勢では、平面視したとき、前記面発光モジュールの一主面と前記壁面固定部材とが重ならない状態となることを特徴とする請求項１乃至７のいずれかに記載の面発光装置。
【発明の詳細な説明】
【技術分野】
【０００１】
本発明は、面発光装置に関するものである。
【背景技術】
【０００２】
従来、ブラケットやフットライトのように壁面に固定して使用する照明器具が知られている。また、その一方、有機ＥＬ発光素子を光源とする有機ＥＬパネルを使用した照明器具が知られている。
【０００３】
有機ＥＬパネルは、薄くて軽いため、様々な形状の照明器具に対して好適に採用可能である。また、有機ＥＬパネルを採用した照明器具は、有機ＥＬパネルが面光源であり拡散光を発するため、柔らかい光による温かみのある雰囲気を醸し出すことができる。
【０００４】
ここで、特許文献１には、壁、机、家具、ベッド等の外部支持体に取り付けて使用する面発光照明システムが開示されている。この面発光照明システムは、有機ＥＬパネルを採用した板状の面発光照明が外部支持体に対して片持ち状に取り付けられ、さらに回動可能となっている。そして、面発光照明は、発光面が外部支持体の外側面に外側から接触した状態となる非使用位置と、発光面が外部支持体の外側面から離れた位置であって照射対象を向く位置の間で回動可能なものとなっている。
【０００５】
また、面発光照明を回動させつつ、発光面と外部支持体の外側面とがなす角が特定の角度となった場合に点灯、消灯する構造となっている。
具体的には、面発光照明を非使用位置（発光面が外部支持体の外側面と対向する状態）から回動させ、発光面が照射対象を向く位置へ移動させるとき、発光面と外部支持体の外側面がなす角が特定の角度となったことを条件に点灯する。
反対に、発光面が照射対象を向く位置から非使用位置へ回動させるとき、特定の角度となったことを条件に消灯する。
【０００６】
つまり、特許文献１に開示された面発光照明システムは、発光面を照射対象に向けて使用するものであり、言い換えると、直接照明として使用するものとなっている。
また、面発光照明を回動させていくと、所定位置で点灯状態と消灯状態が切り替わる。すなわち、点灯状態を維持させつつ可動域全域に亘って回動させることができない構造となっている。また、発光面が外部支持体の外側面と対向する状態では、消灯状態となるものとなっている。
【先行技術文献】
【特許文献】
【０００７】
【特許文献１】特開２０１４−２０３６６７号公報
【発明の概要】
【発明が解決しようとする課題】
【０００８】
ここで、室内等の空間全体を明るくするための全般照明を暗めに設定し、これに全般照明を補う照明である部分照明を組み合わせ、美しく洗練された光空間を形成する照明手法が知られている。
上記した面発光照明では、デスクライトとしての使用や、ベッドの枕元に取り付けて使用する上で実用的ではあるものの、部屋の雰囲気を洗練されたものとするために使用する上で改良の余地がある。
【０００９】
そこで本発明は、外観そのものを光空間に設置したときに違和感のない美しいものとし、且つ、周囲を照らす際の印象を可変可能な面発光装置を提供することを課題とする。
【課題を解決するための手段】
【００１０】
上記課題を解決するための請求項１に記載の発明は、面発光モジュールと、壁面固定部材を含む面発光装置であって、前記面発光モジュールは、発光面を含む面発光パネルと、前記面発光パネルを固定するフレーム部を有し、前記壁面固定部材は、固定対象物の取付面に固定可能であり、前記面発光モジュールと可動部を介して連結されるものであり、前記可動部の可動により、基準姿勢と、前記発光面が前記基準姿勢から４５度以上となる所定角度回転した姿勢をとることが可能であり、前記基準姿勢では、平面視において、前記面発光モジュールと、前記壁面固定部材の少なくとも一部が重なるものであり、さらに前記基準姿勢では、前記取付面への固定時に前記取付面から最も外側に位置する部分において、前記面発光モジュールの一主面と前記壁面固定部材の平面とが前記取付面と平行となる同一平面上に位置することを特徴とする面発光装置である。
【００１１】
本発明の面発光装置では、基準姿勢とし、室内側壁に取り付けた状態で平面視したとき、面発光モジュールと、壁面固定部材が重なるものとなっている。その上で、取付面への固定時に取付面から最も外側に位置する部分において、面発光モジュールの一主面と前記壁面固定部材の平面とが取付面と平行となる同一平面上に位置するものとなっている。このことにより、いびつな凹凸がなく広がる美しい外観を形成することが可能となり、光空間に設置したときに違和感のない美しいものとなる。
加えて、最も外側に位置する部分において、外側（居住空間側）へいびつに飛び出す部分がないため、衣服や物が引っかかってしまったり、人がぶつかったりすることに起因する衣服や物の破損、怪我、面発光装置の故障等を抑制できる。
さらに、本発明の面発光装置は、基準姿勢から発光面の向きを可変させることができるので、周辺を照らすときに多様な照らし方が可能となる。すなわち、基準姿勢時における光の照射対象に対する発光面の向き（位置）を可変させることで、この照射対象へ向かう直接光と反射光の向き及び割合（干渉の度合い）を可変させ、さまざまな雰囲気の光で周辺を照らすことが可能となる。
【００１２】
請求項２に記載の発明は、前記固定対象物の前記取付面は、天井、壁、床からなる群から選ばれる１以上の壁面であり、前記発光面が前記基準姿勢から８５度以上９５度以下となる所定角度回転した姿勢をとることが可能であることを特徴とする請求項１に記載の面発光装置である。
【００１３】
かかる構成では、上記した基準姿勢から、面光源たる発光面を９０度程度回転させることが可能となっている。このことから、三次元空間における３つの方向軸のうちの一つと発光面が略直交した状態から、他の一つと発光面が略直交した状態への移行が可能であり、移行の前後で発光面をまるで異なる方向へ向かせることができる。このことから、移行の前後で周囲を照らす光の印象をより大きく変えることが可能となる。
【００１４】
請求項３に記載の発明は、前記可動部がユニバーサルジョイントによって形成されることを特徴とする請求項１又は２に記載の面発光装置である。
【００１５】
かかる構成では、発光面の向きをより多様に変化させることが可能となるので、好ましい。
【００１６】
請求項４に記載の発明は、前記固定対象物の前記取付面に固定され、前記可動部の可動によって前記面発光モジュールが可動する際、前記面発光モジュールが可動域内のいずれの位置に配された状態においても前記取付面を照らすことが可能なことを特徴とする請求項１乃至３のいずれかに記載の面発光装置である。
【００１７】
かかる構成によると、いずれの姿勢においても間接照明として機能する。そのため、面発光モジュールを可動させて周囲の照らし方を可変させ、光の印象を変えていくとき、いずれの状態でも柔らかい印象の光で周囲を照らすことができる。すなわち、柔らかい印象の光で多様な演出が可能となる。
【００１８】
請求項５に記載の発明は、前記固定対象物の前記取付面に固定され、前記基準姿勢をとる状態では、前記面発光モジュールと前記取付面の間に空間が形成され、当該空間を照らすことが可能なことを特徴とする請求項１乃至４のいずれかに記載の面発光装置である。
【００１９】
かかる構成によると、面発光モジュールの発光面が空間側（取付面側）を向いた状態となり、取付面からの反射光と空間を照らす光とが干渉し、独特の明暗のコントラストを持った光で周辺を照らすことができる。このことから、美しく洗練された印象の空間を形成できる。
【００２０】
請求項６に記載の発明は、前記基準姿勢において同一平面上に位置する前記面発光モジュールの一主面と前記壁面固定部材の平面とが離間しており、前記面発光モジュールと前記壁面固定部材の間に隙間が形成されていることを特徴とする請求項５に記載の面発光装置である。
【００２１】
かかる構成によると、面発光モジュールの発光面と取付面の間に形成される空間の光が隙間部分からわずかに漏れ出し、面発光装置の全体から発せられる光が独特の印象を持つものとなるため、好ましい。
【００２２】
請求項７に記載の発明は、前記空間は、前記面発光モジュールの縁端部分と前記取付面の間に外部との境界となる境界部分を有するものであり、当該境界部分は前記面発光モジュールの縁端部分に沿って連続するものであって、前記境界部分の一部の外側に前記壁面固定部材が位置していることを特徴とする請求項５又は６に記載の面発光装置である。
【００２３】
かかる構成によると、境界部分から漏れ出す柔らかい光によって周囲を照らすことが可能であり、且つ、壁面固定部材によって一部の不要な方向へ向かう光を遮蔽できる。このことにより、より好ましい光の演出が可能となる。
【００２４】
請求項８に記載の発明は、前記基準姿勢から所定角度回転した姿勢では、平面視したとき、前記面発光モジュールの一主面と前記壁面固定部材とが重ならない状態となることを特徴とする請求項１乃至７のいずれかに記載の面発光装置である。
【００２５】
かかる構成によると、姿勢変更の前後で周囲を照らしたときの印象を大きく変えることができるので、多様な演出が可能となり、好ましい。
【発明の効果】
【００２６】
本発明は、外観そのものを光空間に設置したときに違和感のない美しいものとし、且つ、周囲を照らす際の印象を可変可能な面発光装置を提供できる。
【図面の簡単な説明】
【００２７】
【図１】本発明の実施形態に係る照明装置を室内壁面に取り付けた様子を示す説明図である。
【図２】図１の第１照明装置を示す斜視図である。
【図３】図２の第１照明装置を基準姿勢から回動後姿勢へと姿勢変更させる様子を示す説明図であり、（ａ）〜（ｃ）の順に変更する。
【図４】図１の第１照明装置を示す分解斜視図である。
【図５】図４の発光パネルを示す図であり、（ａ）は発光面側の主面を示す背面図、（ｂ）は発光面とは反対側に位置する主面を示す正面図である。
【図６】図４のパネル裏面保護板を示す斜視図である。
【図７】図２の面発光モジュールを示す斜視図である。
【図８】図２の面発光モジュールを図７とは異なる方向からみた状態を示す斜視図である。
【図９】図４のケース部を示す分解斜視図である。
【図１０】図４のケース部の内部を示す斜視図であり、外側及び内側の一部を透過して示す。
【図１１】図４の可動機構部を示す分解斜視図である。
【図１２】図４の仕切壁部を示す斜視図である。
【図１３】第１照明装置の組み立て手順を示す説明図であり、ケース本体部に対し、支持板部、ボタン付基板、制御基板、可動機構部、窓板部を取り付けた状態を示す。
【図１４】図１３の状態のケース本体部を示す背面図である。
【図１５】図１３に続いて可動機構部に面発光モジュールを取り付ける様子を示す説明図である。
【図１６】図１５に続いて第１照明装置を組み立てる様子を示す説明図である。
【図１７】図２の第１照明装置を基準姿勢から回動後姿勢へと姿勢変更させる様子を示す図であり、側面側からみた状態を模式的に示す。
【図１８】図１の第２照明装置を示す斜視図である。
【図１９】図１８の第２照明装置を基準姿勢から回動後姿勢へと姿勢変更させる様子を示す説明図であり、（ａ）〜（ｃ）の順に変更する。
【図２０】図１８の第２照明装置を示す図であり、面発光モジュールを分解して示す一部分解斜視図である。
【図２１】図２０の枠体形成部を別方向からみた様子を示す斜視図である。
【図２２】図１８の面発光モジュールの一部と壁面固定部材を示す図であり、壁面固定部材を透過して示す説明図である。
【図２３】図２２の可動機構部を示す斜視図である。
【図２４】図１８の第２照明装置を別方向からみた様子を示す斜視図である。
【図２５】図１の第３照明装置を示す斜視図である。
【図２６】図２５の第３照明装置を基準姿勢から回動後姿勢へと姿勢変更させる様子を示す説明図であり、（ａ）〜（ｃ）の順に変更する。
【図２７】図２５の第３照明装置を示す分解斜視図である。
【図２８】図２７の背面板を示す斜視図である。
【図２９】図２５の面発光モジュールを下方側からみた説明図であり、可動機構部を取り付ける様子を示す。
【図３０】図２５の第３照明装置を透過して内部を示す説明図であり、一部の部材を省略して示す。
【図３１】図２７のケース本体部を示す斜視図である。
【図３２】図２５の第３照明装置を別方向からみた様子を示す斜視図である。
【図３３】図２５の壁面固定部材を透過して示す説明図であり、一部の部材を省略して示す。
【図３４】図２５の第３照明装置を基準姿勢から回動後姿勢へと姿勢変更させる様子を示す図であり、側面側からみた状態を模式的に示す。
【図３５】図１の各照明装置とは異なる可動部を採用した照明装置を示す説明図である。
【図３６】図１、図３５の各照明装置とは異なる可動部を採用した照明装置を示す説明図である。
【発明を実施するための形態】
【００２８】
以下、本発明の実施形態にかかる照明装置（面発光装置であり、具体的には第１照明装置１、第２照明装置２、第３照明装置３）について図面を参照しつつ詳細に説明する。
また、各照明装置の説明において、特に説明のない限り室内側を前方、取り付け対象となる壁面側を後方、前方側からみて右側が右方、左側が左方とし、上下方向は図１に準じる。
【００２９】
第１照明装置１は、特に限定されるものではないが、図１で示されるように、室内の側壁面であって天井よりもやや下方側に取り付けて使用する（ブラケットとして使用する）ことが好ましい。本実施形態では、室内側壁を第１照明装置１の固定対象物とし、側壁面を取付面６としている。
【００３０】
この第１照明装置１は、図２、図３で示されるように、厚板状の面発光モジュール１０と、略直方体状の壁面固定部材１１を備えており、面発光モジュール１０が壁面固定部材１１に対して回動可能な構造となっている。
すなわち、面発光モジュール１０が直立した姿勢となる基準姿勢（図３（ａ）参照）から、面発光モジュール１０が横倒した姿勢となる回動後姿勢（図３（ｃ）参照）の間で回動させることが可能となっている。
なお、以下で説明では、特に断りのない限り、方向、各部材の位置関係等は基準姿勢時を基準とする。
【００３１】
第１照明装置１は、基準姿勢で通常設置した状態では、図２で示されるように、面発光モジュール１０（詳細には、後述する面発光モジュール１０の本体部分）が、壁面固定部材１１の上方に位置するものとなっている。より詳細には、壁面固定部材１１の室内空間側の端部（室内の側壁面とは反対側に位置する端部）の上方に位置した状態となっている。言い換えると、面発光モジュール１０の本体部分と、壁面固定部材１１の一部とが上下方向で並列した状態となっている。
【００３２】
面発光モジュール１０は、図４で示されるように、枠体形成部１３と、発光面側保護カバー１４と、発光パネル１５（面発光パネル）と、パネル裏面保護板１６と重ねて形成される部分となっている。
【００３３】
枠体形成部１３は、正面視において四角環状に連続する立板状の枠板部１８と、枠板部１８の周縁部分から前方（枠板部１８の厚さ方向）へ突出する周壁形成部１９とが一体となって形成されている。
周壁形成部１９は、発光パネル１５の端面を外側から覆うものであり、上端に位置する平板状の上板部分１３ａと、左右方向で離間対向する２つの立板状の側壁部分１３ｂと、下方側に位置する平板状の下板部分１３ｃとが枠板部１８の周縁部分に沿って連続している。
なお、２つの側壁部分１３ｂは、下板部分１３ｃの下方側まで延びており、下板部分１３ｃのさらに下方側には、下方と前方が開放された空間が形成されている。この空間は、パネル裏面保護板１６の一部を配するための空間として機能する。
【００３４】
また、周壁形成部１９のうち、下板部分１３ｃには、ケーブルを挿通させるための切欠部１３ｄが形成されている。そして、適宜の部分にねじ等の締結要素を挿通するための取付用孔が形成されている。この取付用孔は、下板部分１３ｃを厚さ方向（上下方向）に貫通する貫通孔となっている。
さらに、上板部分１３ａと、２つの側壁部分１３ｂそれぞれの内側面には、内側に向かって突出する突起部分が形成されている（詳細な図示を省略する）。
なお、本明細書において、締結要素とは、ねじ、釘等の上位概念とする。
【００３５】
発光面側保護カバー１４は、透光性を有する板状部材であり、プラスチック等の適宜の材料を切削加工等して形成される部材となっている。
なお、発光面側保護カバー１４の背面側の主面（枠体形成部１３側の主面）では、周縁部分が薄肉化されて中央側よりも薄くなっている（図示しない）。すなわち、背面側では、正面視で四角形状となる中央側の部分が厚くなっており、平面視で四角環状に連続して中央側の部分を囲む周縁部分が薄くなっている。
【００３６】
このことから、枠板部１８と発光面側保護カバー１４を重ねるとき、発光面側保護カバー１４の背面の中央側に位置する厚さの厚い部分が、枠板部１８の中央側に位置する貫通孔に挿通された状態となる。また、発光面側保護カバー１４の背面の周縁側に位置する厚さの薄い部分が枠板部１８と面接触した状態となる。この状態では、枠板部１８と発光面側保護カバー１４の背面同士が同一平面を形成した状態となり、面発光モジュール１０の一主面（背面であり、基準姿勢での取り付け時に室内の側壁面側に位置する面）が形成される。
つまり、枠板部１８によって上方、側方、下方を囲まれた部分に発光面側保護カバー１４の中央側に位置する肉厚部分が位置している。また、枠板部１８の中央側に位置する貫通孔の内周面は、この肉厚部分の端面と隙間なく（又は略隙間なく）接触した状態となっている。そして、肉厚部分の背面と枠板部１８の背面とが段差なく（又は略段差なく）連続する同一平面を形成している。
なお、「略隙間なく」の「略」とは、微細な誤差を含むものとし、他に関しても同様である。
【００３７】
発光パネル１５は、面状に広がりをもち、面状光を放射可能な面発光パネルであり、調光が可能なパネルとなっている。具体的には、この発光パネル１５は、パネル本体２０にフレーム部材２１を装着して形成される部材となっている。
【００３８】
パネル本体２０は、拡散光を照射可能な有機ＥＬパネルであり、その一方の主面側（発光面側であり背面側）は、図５で示されるように、実際に発光する発光領域２０ａと、それ以外の部分であってフレーム部材２１によって外側（後方）を覆われる非発光領域２０ｂに区画されている。
すなわち、パネル本体２０の主面は、中央側に位置する発光領域２０ａと、発光領域２０ａの周囲を囲むように四角環状に連続する額縁状の非発光領域２０ｂを備えた構造となっている。
【００３９】
ここで、発光領域２０ａは、陽極層と、有機発光層を含む有機機能層と、陰極層が重なる重畳部分と、正面視において重なる部分となっている。つまり、パネル本体２０の厚さ方向（前後方向）において、陽極層、有機機能層、陰極層がこの順に積層して有機ＥＬ素子を形成しており、発光領域２０ａがこの有機ＥＬ素子と対応する部分となっている。
このことから、陽極層と陰極層に電圧を印加することで有機発光層が発光し、発光領域２０ａから光が放射される構造となっている。
【００４０】
パネル本体２０の他方の主面側（裏面側であり前面側）には、有機機能層と電気的に接続される給電部２３と、給電部２３の端部を接続可能なコネクタ部を有するパネル側基板２４を備えた構造となっている。
【００４１】
給電部２３は、有機機能層とパネル側基板２４を電気的に接続する部位であって、陽極層と陰極層の間に電圧を印加するための部分となっている。この給電部２３は、内部側から外側へ延び、一部がパネル本体２０の裏面から突出している。言い換えると、外部に露出する部分がパネル本体２０の裏面に片持ち状に支持された状態となっている。
【００４２】
発光パネル１５は、軽量かつ薄型とする観点からも、上記したように一方の主面側に発光面を有する有機ＥＬパネルであることが好ましい。有機ＥＬパネルを採用することによって、柔らかさや高演色性等の優れた特性の照明光を容易に得ることができ、拡散光を照射することも可能となっている。なお、この発光パネル１５は、可撓性を有する可撓性パネルであってもよい。
【００４３】
また、パネル側基板２４は、上記した給電部２３を接続可能なコネクタ部の他、制御基板４２（図４等参照）との間で延びるケーブルを接続可能なコネクタ部を備えた構造となっている。本実施形態では、このパネル側基板２４は、パネル本体２０の他方の主面と重なる位置であり、正面視において発光領域２０ａと重なる中央側の位置に配されている。
【００４４】
パネル裏面保護板１６は、図４で示されるように、亜鉛合金等の適宜な金属で形成され、外形が略立板状となる部材である。特に限定されるものでないが、本実施形態では、パネル裏面保護板１６は、鋳型成形品となっており、特に亜鉛ダイキャスト品を好適に採用可能となっている。
【００４５】
パネル裏面保護板１６は、図６で示されるように、保護板本体部２８と、保護板本体部２８の下端から後方（発光パネル１５側）へ突出する平板状の底板形成部２９を備えており、底板形成部２９の突出端から可動片部３０が延設された構造となっている。
【００４６】
保護板本体部２８は、直立した姿勢の薄板状部分２８ａと、薄板状部分２８ａの背面から後方へ（発光パネル１５側の面から発光パネル１５側へ）隆起する隆起部２８ｂとが一体に形成された部分である。
隆起部２８ｂは、正面視形状が略凹字状となるように隆起した部分であり、その上端面は、薄板状部分２８ａの上面よりも下方側に位置している。そして、両側端のそれぞれは、いずれも薄板状部分２８ａの両側端よりも左右方向における中心側に位置した状態となっている。
【００４７】
ここで、隆起部２８ｂの上面のうち、薄板状部分２８ａから後方（図６では前方）に離れた位置に上方に突出する突起が形成されている。このことから、保護板本体部２８の上端側部分では、隆起部２８ｂと薄板状部分２８ａの間に下方に向かって窪んだ係合溝部３３が形成されている。
また、左右方向で離間対向する隆起部２８ｂの両側面のそれぞれにもまた、上端から下方側へ延びる係合溝部３３が形成されている。この側面に形成される係合溝部３３は、周囲よりも内側（左右方向における中心側）に窪んだ溝であり、断面形状が略四角形状で上下方向に延びる溝となっている。
【００４８】
また、保護板本体部２８（隆起部２８ｂ）の左右方向における中心側には、周囲よりも薄くなった部分であり、前側（薄板状部分２８ａ側）へ窪んだ窪み部分となる基板配置部３４が形成されている。この基板配置部３４は、断面形状が四角形状で上下方向に延びる空間を形成する溝状の部分となっている。
【００４９】
底板形成部２９は、適宜の部分（本実施形態では両側端のそれぞれ）に締結要素等を挿通するための取付用孔が形成され、左右方向の中心側にケーブルを挿通するためのケーブル挿通用孔２９ａが形成されている。
取付用孔と、ケーブル挿通用孔２９ａはいずれも底板形成部２９を厚さ方向（上下方向）に貫通する貫通孔となっている。そして、取付用孔は、開口形状が円形となっており、ケーブル挿通用孔２９ａは、開口形状が左右方向に延びる略隅丸長方形状となっている。
【００５０】
可動片部３０は、底板形成部２９の突出端面（発光パネル１５側の端面であり、図６では前端面）のうち、左右方向の中心側となる部分から延設される部分である。
この可動片部３０は、底板形成部２９の突出方向と同方向（後側であり、図６では前側）へ突出する平板状部分３０ａと、この平板状部分３０ａの突出端から下方（保護板本体部２８から離れる方向）へ突出する立板状部分３０ｂとが一体となって形成されている。すなわち、側面視形状が略Ｌ字状となる板状部分である。
立板状部分３０ｂの適宜の部分には、締結要素を挿通するための取付用孔が形成されている。この取付用孔は、立板状部分３０ｂを厚さ方向（前後方向）に貫通する貫通孔となっている。また、立板状部分３０ｂの前面側には、前方へ向かって突出する突起部３５が形成されている（図８参照）。この突起部３５は、略直方体状の突起であり、複数設けられ、左右方向で所定の間隔を空けて並列している。
【００５１】
そして、枠体形成部１３に発光面側保護カバー１４と発光パネル１５重ねて配置し（図４等参照）、枠体形成部１３にパネル裏面保護板１６を取り付けることで、面発光モジュール１０が形成される。
このとき、枠体形成部１３の上板部分１３ａと側壁部分１３ｂの内側に位置する突起部分をパネル裏面保護板１６の係合溝部３３（図６参照）に挿通させ、これらを係合させた状態とする。すなわち、パネル裏面保護板１６を枠体形成部１３の前方下側に位置させ、下方から上方へスライド移動させることでこれらを係合させた状態とする。
そして、パネル裏面保護板１６の底板形成部２９を下板部分１３ｃの下方側から接触させ、これらを重ねた状態とし、ねじ等の締結要素を介して固定する。この際、底板形成部２９のケーブル挿通用孔２９ａ（図６参照）と、下板部分１３ｃの切欠部１３ｄ（図４等参照）を重ねた状態とし、一連のケーブル挿通孔３６（図８参照）が形成された状態となる。
【００５２】
面発光モジュール１０は、図４、図７、図８で示されるように、内部に位置する発光パネル１５を、枠体形成部１３、発光面側保護カバー１４、パネル裏面保護板１６によって形成されるフレーム部で囲繞して形成されるものとなっている。つまり、フレーム部材２１を備えた発光パネル１５を、フレーム部に収納して形成されるものとなっている。
そして、この面発光モジュール１０は、平面視形状が四角形状となる略厚板状の部分（本体部分であり、直方体状の部分）から、可動片部３０が延出された構造となる。
【００５３】
面発光モジュール１０の一方の主面（後側面）は、光を放出する発光面を含む面であり、発光する領域と発光しない領域とに区画されている。
すなわち、上記したように、この面は、枠体形成部１３の枠板部１８と、発光面側保護カバー１４の肉厚部分によって形成された面である。そして、発光面側保護カバー１４の肉厚部分は、上記したパネル本体２０の発光領域２０ａ（図５等参照）と前後方向で（正面視で）重なる部分となっている。このことから、面発光モジュール１０の一方の主面のうち、発光面側保護カバー１４によって形成される部分であり、中心側に位置する領域が発光する領域（発光面）となっている。そして、この発光する領域の外側を囲んで連続する部分であり、正面視で四角環状に連続する縁端よりの部分が自ら光を発さない面となっている。
つまり、面発光モジュール１０の発光面は、パネル本体２０の発光領域２０ａ（発光面）が発光面側保護カバー１４を介して外部に露出することで形成されている。
【００５４】
面発光モジュール１０の他方の主面（前側面）は、一方の主面の裏面側となる面であり、一方の主面と離間対向するように反対側に位置する面となっている。この面は、薄板状部分２８ａによって形成される面であり、言い換えると、一部材によって形成される面（後述するモジュール外側面９５）となっている。
ここで、上記したように、枠体形成部１３とパネル裏面保護板１６は、上方側で突起部分（枠体形成部１３の突起部分）と溝部分（係合溝部３３）からなる係合部を係合させ、下方側で下板部分１３ｃと底板形成部２９を重ねて固定する構造となっている。このことから、主面と直交する方向に締結要素を挿通せず、フレーム部の組み立てが可能となっている。
以上のことから、面発光モジュール１０の他方の主面は、ねじ等の締結要素が位置せず、凹凸がなく広がる平面が形成された状態となっている。
【００５５】
面発光モジュール１０の４つの端面のうち、３つは主に枠体形成部１３によって形成され、他の１つは主にパネル裏面保護板１６によって形成されている（パネル裏面保護板１６によって略全域が形成されている）。
そして、主にパネル裏面保護板１６によって形成される端面にケーブル挿通孔３６が形成されている。より詳細には、このケーブル挿通孔３６は、可動片部３０の前方側に形成されている。ケーブル挿通孔３６は、面発光モジュール１０の内外を連通する孔であり、内部に位置する上記したパネル側基板２４（図５等参照）に一端を接続されたケーブルを引き出すことが可能となっている。
【００５６】
可動片部３０は、その一部（平板状部分３０ａ）が面発光モジュール１０の一方の主面側（発光面側の主面）から、この主面と垂直となる方向であり外側へ向かう方向へ突出している。さらに、突出端側の部分（立板状部分３０ｂ）が基端側（平板状部分３０ａ）に対して屈曲して延びた状態となっている。より詳細には、立板状部分３０ｂの突出方向は、面発光モジュール１０の下面（最も近接する位置にある面発光モジュール１０の端面）と直交する方向であり、この下面から外側へ向かう方向となっている。したがって、立板状部分３０ｂの突出端側は、面発光モジュール１０の本体部分と、正面視で重ならない位置に配されている。
【００５７】
壁面固定部材１１は、図４で示されるように、ケース部４０、ボタン付基板４１、制御基板４２、仕切壁部４３、電源供給部４４、裏蓋部４５を組み合わせて形成される部材となっている。
【００５８】
ケース部４０は、図９で示されるように、ケース本体部５０に対し、窓板部５１、可動機構部５２、支持板部５３、壁面形成板部５４を取り付け、これらを一体的に形成することで形成される部分となっている。
【００５９】
ケース本体部５０は、後方側（取り付け時における室内の側壁面側）が開放された箱体であって、外側箱部５０ａの内部に内側箱部５０ｂを収納し、これらを内外で重ねて形成される部材である。すなわち、外側箱部５０ａと内側箱部５０ｂとを締結要素を介して一体化することで、形成される部材となっている。
なお、外側箱部５０ａは金属製の部材であり、内側箱部５０ｂはプラスチック等の樹脂で形成される部材となっている。
【００６０】
このケース本体部５０の外壁部分には、後端側から前方へ向かって延びる切り欠き部分たる、モジュール側切欠部６０と、ケーブル挿通用切欠部６１が形成されている。
モジュール側切欠部６０は、上方（面発光モジュール１０側）に位置する外壁部分に形成される切り欠き部分であり、平面視形状（面発光モジュール１０側からみた形状）が四角形状となる部分である。
ケーブル挿通用切欠部６１は、モジュール側切欠部６０が形成された外壁部分と略直交する２つの外壁部分であり、左右方向で離間対向する２つの外壁部分にそれぞれ形成されている。このケーブル挿通用切欠部６１は、側面視形状が横倒した略Ｕ字状となる切り欠き部分であり、前端側が丸みを帯びた形状となっている。
【００６１】
また、ケース本体部５０の内部には、図１０で示されるように、可動機構取付部６３、ボタン基板取付部６４が形成されている。また、板掛止突起６５（図９参照）を備えた構造となっている。
可動機構取付部６３は、左右方向で間隔を空けて並列する２つの板片取付部７０と、２つの溝付立壁部７１と、領域仕切板部７２を有している。
【００６２】
板片取付部７０は、左右方向の一端側（領域仕切板部７２側）と後方（図１０では前方側であり、取り付けにおける室内壁側）が開放された箱状部分７０ａと、その内部に位置する円筒状の突起部分７０ｂを有した形状となっている。
突起部分７０ｂは複数（２つ）形成されており、左右方向で並列した状態となっている。また、箱状部分７０ａの外壁部分における前後方向の長さは、突起部分７０ｂの同方向の長さよりも長くなっている。このため、突起部分７０ｂの後方側には、取付片部８１（立板状の部材、詳しくは後述する）を収納するための空間が形成されている。
【００６３】
溝付立壁部７１は、側面視形状が略コ字状となる立壁状の部分であり、前側から後方（取り付け時における室内壁側）へ突出するように形成され、その厚さ方向が左右方向と同方向となっている。そして、この溝付立壁部７１は、上下方向の中心近傍となる部分に、後端側（突出端）から前方へ向かって延び、前端側が丸みを帯びた形状となる溝状部分が形成されている。
ここで、可動機構取付部６３では、左右方向における一方側から他方側へ向かって、一方の板片取付部７０、一方の溝付立壁部７１、領域仕切板部７２、他方の溝付立壁部７１、他方の板片取付部７０の順に形成されている。
すなわち、溝付立壁部７１は、いずれも板片取付部７０、領域仕切板部７２と隣接する位置に配されており、２つの溝付立壁部７１は左右方向で間隔を空けて配された状態となっている。
そして、溝付立壁部７１のそれぞれの溝状部分は、いずれも板片取付部７０の左右方向の一端側に位置する開放部分と隣接する位置に形成されている。つまり、板片取付部７０の内側の空間と、領域仕切板部７２の上方に位置する空間（２つの溝付立壁部７１の間に位置する空間）とが、溝付立壁部７１に形成された溝状部分を介して連続した状態となっている。
【００６４】
領域仕切板部７２は、後方（取り付け時の壁側）へ突出する平板状の部分であり、２つの溝付立壁部７１の下端部同士の間で延びている。
この領域仕切板部７２は、上記したモジュール側切欠部６０と平面視で（上方からみたときに）重なる位置に形成されている。また、左右方向（長手方向）の中心側の位置には、周囲よりも下方へ窪んだ窪み部分が形成されている。
【００６５】
ボタン基板取付部６４は、ボタン挿通用孔７５と、２つの基板掛止突起７６と、姿勢支持片７７を有する構造となっている。
ボタン挿通用孔７５は、ケース本体部５０の外壁部分のうち、モジュール側切欠部６０が形成された外壁部分に形成される貫通孔であり、ケース本体部５０の内部空間と外部を連通する孔となっている。
【００６６】
基板掛止突起７６は、ボタン挿通用孔７５が形成された外壁部分の内側に形成される突起状の部分である。詳細には、平面視形状が略凹字状となるように形成され、前方から後方へ突出する平板状の部分である。言い換えると、後端側（突出端）から前方へ向かって延びる溝状部分を有する平板状の部分となっている。
ここで、基板掛止突起７６は、複数（２つ）形成されており、一の基板掛止突起７６と他の基板掛止突起７６が上下方向で離れた位置にそれぞれ形成されている。このとき、それぞれの基板掛止突起７６の溝状部分は、平面視で重なる位置に配された状態となっている。
【００６７】
姿勢支持片７７は、ボタン挿通用孔７５が形成された外壁部分から内側へ突出する平板状の部分であり、前後方向に延びる長方形平板状の部分である。
なお、姿勢支持片７７の内側端面は、基板掛止突起７６の溝状部分の内壁面の一部と上下方向で離れた位置に配されている。具体的には、溝状部分の内壁面のうち、ボタン挿通用孔７５が形成された外壁部分よりに位置する壁面と、上下方向で離れた位置に配されている。そして、これらの面は同一平面上に位置する面となっている。
【００６８】
板掛止突起６５は、図９等で示されるように、ケース本体部５０の内部の後端側（図９では手前側）であり、左右方向における両端部のそれぞれに形成されている。
この板掛止突起６５は、ケース本体部５０の内壁のうち、側面部分及び底面と一体的に形成されて厚さ方向が前後方向となる立板状の前板部と、ケース本体部５０の側面部分と離間対向する横板部を有している。そして、前板部と横板部が直交しており、底面から上方へ突出している。
【００６９】
さらにケース本体部５０の内部には、適宜な部分に後方へ向かって突出し、ねじ等の締結要素を挿通するための有底孔又は貫通孔が形成された突起部分が形成されている。これらは、ケース本体部５０に上記した制御基板４２や仕切壁部４３（図４等参照）を固定するための部分や、外側箱部５０ａと内側箱部５０ｂを固定するための部分となっている。
【００７０】
窓板部５１は、透光性を有するプラスチック等の適宜の材料を切削加工等して形成される部材であり、平板状の部材となっている。そして、この窓板部５１は、ケース本体部５０（外側箱部５０ａ）の前側に形成された窪み部分（図示しない）に嵌め込まれた状態となっている。
【００７１】
より詳細には、外側箱部５０ａの前端面には、正面視形状が四角形状であり内側へ向かって窪んだ窪み部分が形成されており、この窪み部分の底を形成する部分（内側端面）が枠板状の部分となっている（詳細な図示を省略する）。すなわち、この底を形成する部分が正面視で略四角環状となるように連続し、中央部分に貫通孔を有する部分となっている。なお、この貫通孔と重なる位置には、外側箱部５０ａの内側に位置する内側箱部５０ｂの前側壁面と、前側壁面に形成された貫通孔とが位置している。つまり、外側箱部５０ａの貫通孔は、一部が内側箱部５０ｂの前側壁面によって内側を閉塞され、他の一部がケース本体部５０の内外を連通する孔を形成している。
そして、窓板部５１は、この窪み部分に嵌め込まれるので、内側面の一部が窪み部分の底を形成する部分と接触した状態となる。また、外側面が周囲の部分（ケース本体部５０の前端面）と段差なく（又は略段差なく）連続する同一平面を形成する。
【００７２】
可動機構部５２は、図９、図１１で示されるように、連結棒部８０と、連結棒部８０の長手方向の両端部にそれぞれ取り付けられる２つの取付片部８１を有している。
【００７３】
連結棒部８０は、図１１で示されるように、短手方向の一端部側に位置する部分が丸みを帯びた形状となっている略直方体状の部材である。すなわち、連結棒部８０の短手方向一端部側では、上端から下端までの間に外側へ向かって凸となる湾曲面が形成されたている。
さらに、この連結棒部８０には、それぞれ内部空間と外部とを連続する取付片部挿通孔８０ａ、内外連通孔８０ｂ、可動片取付用孔８０ｃが形成されている。
【００７４】
取付片部挿通孔８０ａは、連結棒部８０の長手方向における両端面にそれぞれ形成され、その開口形状が円形と長方形を組み合わせた略虫眼鏡状となっている。すなわち、円形部分と、円形部分の外周の一部から連結棒部８０の短手方向に沿って延びる四角形状の部分とが一体となった形状となっている。
【００７５】
内外連通孔８０ｂ、可動片取付用孔８０ｃは、短手方向の端部側であり、湾曲面が位置する端部と対となる（反対側に位置する）他端部側の面に形成されている。
内外連通孔８０ｂは、この面のうち、連結棒部８０の長手方向における中心側に位置している。可動片取付用孔８０ｃは、複数（２つ）形成されており、一つが内外連通孔８０ｂよりも連結棒部８０の長手方向における片側端部側に位置し、他の一つが内外連通孔８０ｂよりも他方端部側に位置している。
内外連通孔８０ｂは、開口形状が連結棒部８０の長手方向に沿って延びる隅丸長方形状であり、可動片取付用孔８０ｃは、開口形状が円形となっている。
【００７６】
取付片部８１は、板状の取付板部８１ａと、略円柱状であって外周面の一部から径方向外側へ突出する突出板を有する連結部８１ｂとを有する部材となっている。
取付板部８１ａには、取付用孔が形成されており、この取付用孔が取付板部８１ａを厚さ方向に貫通する孔となっている。
この取付片部８１は、取付板部８１ａと円柱状の部分とが一体となった軸心部分のうち、円柱状の部分に対し、連結部８１ｂを有する略円筒状の部材を取り付けて形成されている。このとき、略円筒状の部材が軸心部分に対して回転しないように、回転阻止部材８１ｃがさらに取り付けられている。
なお、回転阻止部材８１ｃは、略Ｃ字状となる板状部分の一主面に、この一主面と直交する方向であって外側へ向かう方向へ出する突起を備えた構造となっている。そして、軸心部分の一部に取り付けられ、軸心部分に対して回動不能な状態となっている。このとき、取り付け対象となる軸心部分の一部は、周囲より狭径であって、断面形状が多角形状となるように形成された部分（図示しない）となっている。また、回転阻止部材８１ｃに形成された突起は、略円筒状の部材の欠落部に嵌り込んだ状態となっている。
【００７７】
そして、可動機構部５２は、連結棒部８０の取付片部挿通孔８０ａのそれぞれに、取付片部８１を挿通することで形成される。このことにより、長手方向の両端側にそれぞれ位置する取付板部８１ａに対し、連結棒部８０が回動可能な状態となる。すなわち、２つの取付片部８１の中心軸（略円柱状の部分の中心軸）が同一直線上に位置し、この直線を回動軸線として回動可能となっている。
【００７８】
支持板部５３、壁面形成板部５４は、図９で示されるように、いずれも長尺の長方形平板状の部材であり、適宜の部分に締結要素を挿通するための取付用孔が形成されている。この取付用孔は、支持板部５３、壁面形成板部５４を厚さ方向に貫通する孔となっている。
【００７９】
支持板部５３は、長手方向の長さが、ケース本体部５０の左右方向の長さよりもやや短くなっており、壁面形成板部５４や裏蓋部４５（図４参照）を一体に固定するための部材となっている。
壁面形成板部５４は、長手方向の長さが、ケース本体部５０におけるモジュール側切欠部６０の左右方向の長さと略同等であり、取り付け時に、モジュール側切欠部６０の一部を閉塞するように配される部分となっている。
【００８０】
ボタン付基板４１は、立板状の基板本体に対し、ボタン形成部と、ケーブル接続用コネクタが形成された部材となっている（図４等では具体的な構造については図示しない）。なお、ボタン形成部は、押圧された際に信号を生成する部分であり、基板本体と電気的に接続されたスイッチ部と、ゴム等の弾性部材と、外部に露出する有底円筒状のボタンカバー等を備えた構造となっている。
【００８１】
制御基板４２は、各種動作を制御するための基板であり、集積回路、各種配線を接続するためのコネクタ等を備えている（図４等では具体的な構造については図示しない）。そして、ボタン付基板４１等の外部機器で生成された信号をケーブル等を介して受信可能であり、発光パネル１５等の外部機器へ各種制御信号を発信可能なものとなっている。
また、この制御基板４２の一部には、受信用基板（受信機器、図示しない）が重ねて配置されている。受信用基板は、リモコン、携帯電話、タブレットＰＣ等の外部操作機器と電波で無線通信可能な無線通信機能を備えており、詳細には、外部操作機器からの電波を受信可能となっている。
なお、無線通信については、特に限定されるものではないが、Ｂｌｕｅｔｏｏｔｈ（登録商標）による通信が好適に採用可能となっている。また、外部操作機器は、上記した持ち運び可能な装置に限らず、室内の側壁面等と一体に形成されるスイッチ装置であってもよい。
【００８２】
仕切壁部４３は、図４、図１２で示されるように、その背面側（図１２では手前側であり、取り付け時における室内側壁側）に、電力源配置部８５が形成されている。
【００８３】
電力源配置部８５は、前方側（図１２では奥側）へ窪んだ部分であり、左右方向に沿って直線状に延びるケーブル連結用溝部８５ａと、ケーブル連結用溝部８５ａの長手方向における中心側から下方へ延びるアダプタ用溝部８５ｂを備えている。すなわち、ケーブル連結用溝部８５ａとアダプタ用溝部８５ｂによって一連の窪み部分が形成されており、この窪み部分の背面視形状が略Ｔ字状となっている。
【００８４】
ケーブル連結用溝部８５ａでは、後方側が開放され、前方側に位置する底部分が前方へ向かって凸となるように湾曲する湾曲面となっている。このケーブル連結用溝部８５ａの長手方向における両端側（端部よりやや中心側）のそれぞれには、ケーブル掛止部８７が形成されている。
また、一方のケーブル掛止部８７のさらに外側には、ケーブル連結用溝部８５ａの側端部分を閉塞するように突出する突出壁部８８が形成されている。
【００８５】
ケーブル掛止部８７は、対となる２つの突起部分によって形成されており、それぞれの突起部分は、ケーブル連結用溝部８５ａの底部分を形成する面から後方（図１２では前方）へ突出している。２つの突起部分は、いずれも厚さ方向が左右方向となる立板状の突起であり、上下方向で間隔を空けて並列している。すなわち、２つの突起部分の間には、前後方向に延びる細長い溝が形成されている。
【００８６】
アダプタ用溝部８５ｂは、左右方向の両端側にそれぞれ位置する略直方体状の部分の間に形成された部分であり、上方及び下方が開放された状態で延びている。
アダプタ用溝部８５ｂの側壁部分と底部分（前面）に跨る部分には、ケーブル挿通用孔８９が形成されている。すなわち、ケーブル挿通用孔８９は、側壁部分を左右方向に、底部分を前後方向に貫通する孔となっており、アダプタ用溝部８５ｂの内側空間と、仕切壁部４３の前方に位置する空間を連通する孔である。
【００８７】
なお、仕切壁部４３には、適宜の部分に締結要素を挿通するための取付用孔が形成されている。取付用孔は、仕切壁部４３を前後方向に貫通する貫通孔であり、下方側の一つがアダプタ用溝部８５ｂの底部分（前面）に形成されている。また上方側では、ケーブル連結用溝部８５ａと、その上側に形成されたリブ部分に跨る位置に形成されている。
【００８８】
電源供給部４４は、図４で示されるように、アダプタ部９０と、２つのケーブル部９１とを備えた構造となっている。
アダプタ部９０は、正面視形状が略Ｔ字状となる部材であり、横倒した円柱状のプラグ接続部９０ａと、プラグ接続部９０ａの側面から外側（下側面から下方）に延設される略直方体状の配線接続部９０ｂを備えた構造となっている。プラグ接続部９０ａの長手方向における両端面には、それぞれケーブル部９１の端子を接続するためのコネクタが形成されている。また、配線接続部９０ｂは、上記した制御基板４２とケーブルを介して電気的に接続される部分である。
【００８９】
ケーブル部９１は、一端側にアダプタ部９０に接続される端子を有し、他端側に外部電力供給部材（又はその関連部材）と接続される端子を有するケーブルとなっている（他端側については図示しない）。なお、このケーブル部９１は、第１照明装置１の組み立て時においては、一部が内部に収納され、他部が外部に引き出された状態となる。
【００９０】
裏蓋部４５は、略長方形長板状の本体板部４５ａと、本体板部４５ａの上側に形成される取付用板部４５ｂと、本体板部４５ａの左右方向の両端部それぞれの下方側に位置する取付片部４５ｃとが一体に形成された金属板状の部材である。
【００９１】
本体板部４５ａには、第１照明装置１の取付面６への取り付け時に必要に応じて使用する取付用孔が形成されている。取付用孔は、本体板部４５ａを厚さ方向（前後方向）に貫通する貫通孔となっている。なお、本実施形態では、取付用孔として、開口形状が円形で比較的径が小さいねじ挿通用の孔と、比較的径が大きい他部材取付用の孔が形成されている。
【００９２】
取付用板部４５ｂは、側面視形状が略Ｌ字状となる部分である。すなわち、本体板部４５ａの左右方向における中心よりの位置から上方に突出する立板状の部分と、立板状の部分の上端側を前方へ折り曲げて形成される平板状の部分を有している。そして、平板状の部分には、適宜の部分締結要素を挿通するための取付孔が形成されており、この取付孔が平板状の部分を厚さ方向に貫通する貫通孔となっている。
【００９３】
取付片部４５ｃは、本体板部４５ａの一部にスリットを形成し、スリットと隣接する部分を段状に折り曲げて形成される部分であり、内側箱部５０ｂに形成された板掛止突起６５（図９参照）と係合する部分である。
【００９４】
続いて、第１照明装置１の組み立て構造について説明する。
まず、図１３、図１４で示されるように、内側箱部５０ｂに支持板部５３を固定し、さらに内側箱部５０ｂに外側箱部５０ａを固定する。このことにより、ケース本体部５０を形成すると共に、ケース本体部５０に支持板部５３が取り付けられた状態とする。
さらに、ケース本体部５０の内部に、ボタン付基板４１、制御基板４２、可動機構部５２を取り付ける。さらに、ケース本体部５０の前面に窓板部５１を取り付ける（図４、図９等参照）。
【００９５】
ボタン付基板４１は、図１４で示されるように、ボタン基板取付部６４に直立した姿勢で取り付けられ、制御基板４２とケーブル（図示しない）を介して電気的に接続された状態となる。このとき、ボタン基板取付部６４は、厚さ方向が左右方向と同方向となる姿勢をとり、ボタン形成部の一部がボタン挿通用孔７５から外部に露出した状態となっている（図１３参照）。
【００９６】
制御基板４２もまた、ケース本体部５０に直立した姿勢であり、厚さ方向が前後方向と同方向となる姿勢をとっている。
このとき、上記したように、窓板部５１が取り付けられる窪み部分には、ケース本体部５０の内外を連通する孔が形成されている。そして、制御基板４２の一部は、窓板部５１及び内外を連通する孔と正面視で重なった状態に配されることとなる。すなわち、この窓板部５１及び窓板部５１と重なる部分が外部操作機器等からの信号を受信する受信部として機能する。
【００９７】
さらに、可動機構取付部６３の板片取付部７０の内部に、可動機構部５２の取付板部８１ａを収納した状態とする。そして、板片取付部７０と取付板部８１ａをねじ等の締結要素によって一体に固定する。
このとき、溝付立壁部７１の溝状部分に、取付片部８１の一部が位置し、領域仕切板部７２の上方に連結棒部８０が位置し、連結棒部８０が回動可能な状態となる。すなわち、ケース本体部５０に対して可動機構部５２が回動可能に取り付けられる。
【００９８】
この状態において、図１５で示されるように、上記した面発光モジュール１０を可動機構部５２に対して固定する。すなわち、可動片部３０の立板状部分３０ｂと、連結棒部８０の短手方向における一端面（図１５では上面）とを接触させ、締結要素を介して一体に固定する。
【００９９】
このとき、立板状部分３０ｂに形成された突起部３５（図８参照）を、内外連通孔８０ｂに挿通した状態とし、位置決めする。そして、立板状部分３０ｂの取付用孔と、可動片取付用孔８０ｃ（図１５参照）を重ねた状態とし、これらに締結要素を挿通する。このことにより、ケース本体部５０に対し、面発光モジュール１０が回動可能な状態に取り付けられた状態となる。すなわち、可動片部３０と可動機構部５２により、面発光モジュール１０を回動させるための可動部が形成される。
【０１００】
さらに、図１６で示されるように、ケース本体部５０に対し仕切壁部４３、電源供給部４４、裏蓋部４５を取り付け、さらに、壁面形成板部５４を取り付ける。
【０１０１】
ケース本体部５０に仕切壁部４３を取り付けるとき、制御基板４２に一端側を接続されたケーブルをケーブル挿通用孔８９から後方側（電力源配置部８５側）へ引き出した状態とする。そして、電力源配置部８５に電源供給部４４を配置した状態とする。
このとき、アダプタ用溝部８５ｂに配線接続部９０ｂを配し、この配線接続部９０ｂにケーブル挿通用孔８９から引き出されたケーブルを接続する。このことにより、電源供給部４４と制御基板４２とが電気的に接続された状態となる。
【０１０２】
また、ケーブル連結用溝部８５ａでは、アダプタ部９０のプラグ接続部９０ａに、２つのケーブル部９１の端子が接続された状態となっている。一のケーブル部９１と、他のケーブル部９１は、それぞれ異なるケーブル掛止部８７の溝部分に一部分が嵌った状態となっている。そして、それぞれのケーブル掛止部８７から外側へ延びる部分は、それぞれ異なるケーブル挿通用切欠部６１を経て、外部へ引き出された状態となる。
【０１０３】
裏蓋部４５を取り付けるとき、取付片部４５ｃを板掛止突起６５に掛止させた状態で、取付用板部４５ｂの平板状の部分を支持板部５３と重ねた状態とする。このとき、取付用板部４５ｂの平板状の部分と支持板部５３の取付用孔が重なって形成される挿通孔に締結要素を挿通し、一体に固定する。
【０１０４】
そして、支持板部５３と取付用板部４５ｂの平板状の部分が重なる部分の外側（上側）に、さらに壁面形成板部５４を重ねた状態とし、壁面形成板部５４と支持板部５３の取付用孔が重なって形成される挿通孔に締結要素を挿通し、一体に固定する。
すなわち、上方（外側）から順に、壁面形成板部５４、取付用板部４５ｂ、支持板部５３が積層された状態となる。さらに、壁面形成板部５４の上面は、ケース本体部５０の上面と段差なく（略段差なく）連続する平面を形成し、この平面が壁面固定部材１１の上面となる。そして、壁面形成板部５４の上面とケース本体部５０の上面に囲まれた部分に、壁面固定部材１１の内外を貫通する孔の開口が形成される。この貫通孔は、基準姿勢において可動片部３０の下端側（立板状部分３０ｂ）が挿通される孔となる。また、回動後姿勢では、この貫通孔から連結棒部８０の一部が外部へ突出する。このとき、短手方向の一端側の面（内外連通孔８０ｂ、可動片取付用孔８０ｃ）が上端面となる姿勢をとり、可動片部３０は全てが外部に位置した状態となる。
以上により、第１照明装置１が形成される。
【０１０５】
第１照明装置１では、基準姿勢において（図２参照）、面発光モジュール１０の最も外側に位置する面であるモジュール外側面９５と、壁面固定部材１１の最も外側に位置する面である固定部材外側面９６とが同一平面上に位置した状態となっている。
なお、ここでいう最も外側に位置する面とは、取り付け時に最も室内空間側に位置する面である。
また、モジュール外側面９５は、固定部材外側面９６の上方に離れた位置に位置しており、モジュール外側面９５、固定部材外側面９６の間には間隔（隙間）が形成された状態となっている。なお、固定部材外側面９６は、上記したように、ケース本体部５０の最も外側に位置する面（前面）と、窓板部５１の外側に位置する主面とが一体となって形成される面である。言い換えると、ケース本体部５０の最も外側に位置する面と、窓板部５１の外側に位置する主面もまた、同一平面上に位置した状態となっている。
【０１０６】
さらに、面発光モジュール１０の一方の側端面と、壁面固定部材１１（ケース本体部５０）の一方の側端面もまた、同一平面上に位置した状態となっている。同様に、面発光モジュール１０の他方の側端面と、壁面固定部材１１の他方の側端面もまた、同一平面上に位置した状態となっている。
そして、左右方向の両端部のそれぞれでは、壁面固定部材１１の側端面のうち、前方（取り付け時における室内空間側）に位置する部分の上方に、面発光モジュール１０の側端面が位置している。また、後方（取り付け時における室内の壁面側）の上方には、面発光モジュール１０の側端面が位置しない状態となっている。
なお、より詳細には、左右方向の両端部のそれぞれにおいて、壁面固定部材１１の側端面から上方に離れた位置に面発光モジュール１０の側端面が位置している。すなわち、ケース本体部５０の側端面と面発光モジュール１０の側端面の間には間隔が形成されている。
【０１０７】
すなわち、面発光モジュール１０の本体部分の下面と、壁面固定部材１１の上面（ケース本体部５０の上面であり、取り付け時において室内の側壁面と直交する面であって、面発光モジュール１０側の面）とは互いに平行となっている。より詳細には、面発光モジュール１０の本体部分の下面と、壁面固定部材１１の上面は離間対向しており、間に空間（隙間）が形成されている。なお、この隙間は、基準姿勢時において、面発光モジュール１０が発光したとき、取付面６と面発光モジュール１０の間に形成される空間から光が微量に漏れ出す隙間となる。
【０１０８】
ここで、取り付け時において、基準姿勢としたとき、室内の側壁面（取付面６、図２等参照）と面発光モジュール１０の間には、略直方体状の空間が形成された状態となっている。したがって、基準姿勢で面発光モジュール１０が発光したとき、面発光モジュール１０は、この空間に向かって光を照射することとなる。
より具体的には、この空間は、前方側の大部分（下端側の一部を除いた部分であり、面発光モジュール１０の本体部分と、壁面固定部材１１の間に形成される隙間を除いた部分）を面発光モジュール１０に、後方側を室内の側壁面によって閉塞された空間となっている。これに加えて、下方側を壁面固定部材１１によって閉塞された空間となっている。
つまり、この空間と外部の境界となる境界面（境界部分）は、いずれも、面発光モジュール１０の発光面側の主面及び室内の側壁面と直交する面となっている。そして、境界面の一つは、取り付け時における天井側（上方）に位置し、第１照明装置１の上端面となる面発光モジュール１０の上端面と同一平面状に位置している。
さらに、他の境界面（他の２つの境界面）は、この上方に位置する境界面と直交する面であり、面発光モジュール１０及び壁面固定部材１１の側端面と同一平面上に位置している。このように、連続する複数の境界面であり、それぞれ隣接する位置にある他の境界面と直交する境界面を介し、室内の側壁面と面発光モジュール１０の間に形成される空間と外部とが連続した状態となっている。
【０１０９】
なお、第１照明装置１を天井よりの室内の側壁面にとりつけたとき、人の居住スペースとなる空間は、第１照明装置１を基準として、室内の側壁面とは反対側であり下方側の位置となる。本実施形態の第１照明装置１では、基準姿勢において、室内の側壁面と面発光モジュール１０の間に形成される空間の前方（壁面の反対側であり室内空間側）及び下方の大部分が閉塞されており、間接照明として好適に使用可能となっている。
【０１１０】
また、この第１照明装置１は、上記したように、基準姿勢から面発光モジュール１０を回動させることで、面発光モジュール１０が横倒した姿勢となる回動後姿勢をとることが可能となっている（図３、図１７参照）。
具体的には、上記したように、面発光モジュール１０は、壁面固定部材１１に対して回動可能となっている。このとき、図１７で示されるように、基準姿勢時の面発光モジュール１０の発光面と、回動後の面発光モジュール１０の発光面のなす角θが０度以上９０度以下となる範囲を可動域として回動する。なお、可動域の上限については数度程度の誤差を含むものとする。
つまり、回動後姿勢とは、面発光モジュール１０を基準姿勢から最大可動させた姿勢であり、９０度回動させた姿勢となっている。また、面発光モジュール１０は、最大可動させるだけでなく、可動域内の所定角度だけ回動させた状態を維持させることができる。
【０１１１】
なお、面発光モジュール１０は、可動域内のいずれの位置に配された状態においても、面発光モジュール１０の側端面と、壁面固定部材１１の側端面が同一平面上に位置した状態が維持される。したがって、回動中においても同様に、これらが同一平面上に位置した状態が維持される。
【０１１２】
回動後姿勢では、面発光モジュール１０の発光面を含む主面（基準姿勢時の背面）と、壁面固定部材１１の上面とが同一平面上に位置した状態となる。また、面発光モジュール１０の本体部分における壁面固定部材１１側の側端面（基準姿勢時の下面）が、壁面固定部材１１の外側面（前面）と離間対向した状態となる。すなわち、これらの面がいずれも室内の側壁面（取付面６）と平行な面となり、これらの間に空間が形成された状態となっている。
【０１１３】
さらに具体的に説明すると、基準姿勢では、連結棒部８０の短手方向における端面のうち、内外連通孔８０ｂ、可動片取付用孔８０ｃが形成されている面（図１１等参照）が室内の側壁面側（後側）を向いた状態となる（図１３等参照）。そして、湾曲面側が室内空間側（前側）を向いた状態となる。
これに対して、回動後姿勢では、内外連通孔８０ｂ、可動片取付用孔８０ｃが形成されている面が上方を向いた状態となる（図１１、図１７等参照）。そして、湾曲面側が下方側（領域仕切板部７２側）を向いた状態となる。
【０１１４】
また、基準姿勢では、面発光モジュール１０の本体部分の全域が壁面固定部材１１の前端側の部分の上方に位置している（図２等参照）。したがって、平面視したとき（上方又は下方からみたとき）、面発光モジュール１０は壁面固定部材１１の前端側の部分と重なった状態となる。
すなわち、面発光モジュール１０を壁面固定部材１１の上面に投影すると、投影面の少なくとも一部（本実施形態では全域）は、壁面固定部材１１の上面と重なった状態となる。
【０１１５】
これに対して、回動後姿勢では、面発光モジュール１０の本体部分の全域が壁面固定部材１１の前端面より前方に位置している（図３（ｃ）等参照）。したがって、平面視したとき（通常設置して上方又は下方からみたとき）、面発光モジュール１０の本体部分は、壁面固定部材１１と重ならない状態となる。言い換えると、面発光モジュール１０は可動片部３０の一部のみが壁面固定部材１１と重なる状態となる。
すなわち、面発光モジュール１０の本体部分と、壁面固定部材１１をそれぞれ上下方向対して垂直となる面に投影すると、２つの投影面が重ならない状態となる。
【０１１６】
ところで、面発光モジュール１０の光源は、面発光するので、発光面が天井側（上方）を向く回動後姿勢においても、外部に照射される光の一部が室内の側壁面（取付面６）を照らした状態となる。このことから、面発光モジュール１０は、可動域内で可動させるとき、いずれの状態においても側壁面（取付面６）を照らすこととなる。
すなわち、基準姿勢時には、発光面が室内の側壁面を向いた状態となり、側壁面を照らした状態となる。また、基準姿勢から回動後姿勢へ移行させていくと、発光面は徐々に上方側を向いた状態となり、側壁面の上方側が強く照らされた状態となる。そして、所定角度回動したとき、側壁面と天井の境界部分近辺が強く照らされた状態となる。そして、発光面が天井側を向いた状態においても、上記したように、天井が強く照らされると共に室内の側壁面も照らされた状態となる。
つまり、第１照明装置１が発光しているとき、常時取付面６が照らされた状態となる。
【０１１７】
また、第１照明装置１は、ボタン付基板４１の一部が外部に露出し、操作ボタンが形成されている（図２等参照）。この操作ボタンは、面発光モジュール１０の発光面が発光している発光状態と、発光していない非発光状態とを切り替える電源ボタンとしての機能と、発光状体において明るさ（光量）を増減させる調光ボタンとしての機能を兼ねるものとなっている。
すなわち、面発光モジュール１０が非発光状態時に操作ボタンを押圧することで発光状態へと移行し、そのまま操作ボタンを押圧する毎に明るさ（光量）が増加（又は減少）していく。そして、発光状態において所定の明るさで発光している際に操作ボタンを押圧することで、発光状態から非発光状態へと移行する。
また、このような発光状態と非発光状態の切り替えや、調光は、外部操作機器を操作することによっても可能となっている。
【０１１８】
続いて、第２照明装置２について説明する。なお、上記した第１照明装置１と同様の部分については、同じ符号を付し、説明を省略する。
【０１１９】
第２照明装置２は、特に限定されるものではないが、図１で示されるように、室内空間の所定部分（例えば、壁面に取り付けた絵画や掛け軸）等を照らすスポットライトとして使用可能となっている。また、直接照明としても使用可能であり、ブラケットやフットライトとしても使用可能となっている。
【０１２０】
第２照明装置２は、図１８で示されるように、厚板状の面発光モジュール１１０と、壁面固定部材１１１を備え、側面視形状が略Ｌ字状となる装置となっている。
そして、図１８で示されるように、面発光モジュール１１０は、壁面固定部材１１１に対して回動可能な構造となっている。このとき、上記した第１照明装置１では回動軸線が左右方向に延びる直線（第１照明装置１の側端面に対して垂直となる直線）であるのに対し、第２照明装置２では上下方向に延びる直線（第２照明装置２の上面又は下面に対して垂直なる直線）となっている。すなわち、面発光モジュール１１０の発光面側の主面が後側（取り付け時における室内の側壁面側）を向く基準姿勢（図１９（ａ）参照）から、前側（取り付け時における室内の居住空間側）を向く回動後姿勢（図１９（ｃ）参照）の間で回動させることが可能となっている。
なお、以下で説明では、特に断りのない限り、方向、各部材の位置関係等は基準姿勢時を基準とする。
【０１２１】
面発光モジュール１１０は、図２０で示されるように、枠体形成部１１３と、発光面側保護カバー１４と、発光パネル１５と、添板部材１１６と、背面板１１７を重ねて形成される部分となっている。
【０１２２】
枠体形成部１１３は、図２１で示されるように、正面視において四角環状に連続する立板状の枠板部１１８と、枠板部１１８の周縁部分から前方（枠板部１１８の厚さ方向）へ突出する周壁形成部１１９とが一体となって形成されている。
周壁形成部１１９は、発光パネル１５の端面を外側から覆うものであり、上端に位置する平板状の上板部分１１３ａと、左右方向で離間対向する２つの立板状の側壁部分１１３ｂとが枠板部１１８の周縁部分に沿って連続している。
【０１２３】
ここで、枠板部１１８の内側面（図２１の手前側の面）には、枠体側固定片１２１が形成されている。枠体側固定片１２１は、複数（２つ）設けられており、いずれも枠板部１１８の下端よりやや上方に位置し、左右方向における片側端部側に一つ、他方端部側に他の一つが形成されている。
枠体側固定片１２１は、枠板部１１８の内側面から内側に突出する略Ｌ字板状の部分であり、一部が側壁部分１１３ｂと接触した状態となっている。また、締結要素を挿通するための取付用孔が形成されており、この取付用孔は、側壁部分１１３ｂを厚さ方向（上下方向）に貫通する貫通孔となっている。
【０１２４】
添板部材１１６は、図２０で示されるように、発光パネル１５の一主面であってパネル側基板２４（図４等参照）が取り付けられる主面に対し、添え当てられるように配される立板状の部材である。添板部材１１６の発光パネル１５側（後側）の面には、背面板１１７側（前方側）へ向かって窪んだ窪み部分が形成されている。
この窪み部分は、上端からやや下側に離れた位置から下端部分まで延びる窪み部分であり、発光パネル１５の裏面側に位置するパネル側基板２４と、パネル側基板２４から下方へ延びるケーブルを収納可能となっている。
【０１２５】
背面板１１７は、図２２で示されるように、正面視形状が四角形状となる立板状の本体板部１１７ａを有している。また、本体板部１１７ａの背面（発光パネル１５側の面であり図２２では手前側の面）における周縁部分から後側（発光パネル１５側）へ突出する上側突起部１３０、２つの側方突起部１３１、下側突出板部１３２を有する構造となっている。
【０１２６】
上側突起部１３０、２つの側方突起部１３１、下側突出板部１３２は、本体板部１１７ａの周縁部分に沿って四角環状に連続した状態となっている。このとき、上側突起部１３０、２つの側方突起部１３１は、いずれも直方体状の部分であり、下側突出板部１３２は、平板状の部分となっている。すなわち、下側突出板部１３２は、上側突起部１３０、側方突起部１３１と比べて突出長さの長い部分となっている。
また、上側突起部１３０の上面には、上方へ突出する上側突起部１３０ａが形成されている。
【０１２７】
下側突出板部１３２には、シャフト部１５０（詳しくは後述する、図２３等参照）を挿通するための切欠溝部１３２ａが設けられている。また、締結要素を挿通する取付用孔が複数形成されており、それぞれ下側突出板部１３２を厚さ方向に貫通する孔となっている。
なお、切欠溝部１３２ａの周辺に位置する取付用孔がシャフト連結板１６５（詳しくは後述する）を取り付けるための孔であり、下側突出板部１３２の長手方向（左右方向）の両端部近傍にそれぞれ位置する取付用孔が枠体形成部１１３を取り付けるための孔となっている。また、図２２では、作図の都合上、締結要素が挿通された状態を示す。
【０１２８】
本体板部１１７ａには、適宜の部分に間隔維持片１１７ｂが形成されている。間隔維持片１１７ｂは、添板部材１１６（図２０参照）に前方から接触する部分であり、より詳細には、添板部材１１６の主面のうちで窪み部分が形成されていない面と接触する部分である。
間隔維持片１１７ｂの少なくとも一つは、左右方向に延びる長方形平板状の部分であり、他の少なくとも一つは、上下方向に延びる立板状の部分となっている。いずれも、本体板部１１７ａから後方（添板部材１１６側であり、図２２における前方）に突出する部分であって、突出長さが同一（略同一）となっている。すなわち、間隔維持片１１７ｂは、その突出端面が添板部材１１６と接触する部分であるといえる。
【０１２９】
壁面固定部材１１１は、図１８で示されるように側面視形状が略Ｌ字状となる部材である。すなわち、取り付け時において室内の側壁面から室内側に突出する厚板状の本体部１１１ａと、本体部１１１ａの突出端側（前端側であり、取り付け時における室内空間側）で上方に突出する隆起部１１１ｂを有する構造となっている。言い換えると、隆起部１１１ｂは、本体部１１１ａの上面又は下面（突出方向と平行な面）に対して垂直となる方向に突出している。
本体部１１１ａの前面（最も外側に位置する面）と、隆起部１１１ｂの前面とは、同一の面によって形成されており、壁面固定部材１１１の前面であり、最も外側に位置する面である固定部材外側面１９６を形成している。
また、本体部１１１ａの上面と、隆起部１１１ｂの背面（取り付け時において室内の側壁面側に位置する面）の下端部分は湾曲面を介して連続した状態となっている。
そして、本体部１１１ａの後端面には、室内の側壁面への取り付け時に必要に応じて使用する取付用孔が形成されており、この取付用孔が後端面を厚さ方向（前後方向）に貫通する貫通孔となっている。
【０１３０】
この壁面固定部材１１１は、図２２で示されるように、筐体内に各部材を収納して形成されており、主要な構成要素として、ボタン付基板１４１、制御基板４２、可動機構部１４５、電力源収納箱部１４６が収納されている。
【０１３１】
ボタン付基板１４１は、上記したボタン付基板４１と同様に、ボタン形成部と、ケーブル接続用コネクタを備えた基板である。そして、ボタン形成部は、押圧された際に信号を生成する部分であり、基板本体と電気的に接続されたスイッチ部と、ゴム等の弾性部材と、外部に露出するボタンカバー等を備えた構造となっている。
ボタン付基板１４１は、直立した姿勢で取り付けられるものであり、壁面固定部材１１１における筐体側面の近傍に位置し、筐体側面に形成されたボタン挿通用の貫通孔からボタンカバーの一部が露出して操作ボタンを形成している（図１８参照）。
なお、ボタン形成部の各部の形状が上記したボタン付基板４１のものとは異なるものとなっている。
【０１３２】
制御基板４２は、厚さ方向が上下方向と同方向となるように横倒した姿勢で配置された状態となっている。
【０１３３】
可動機構部１４５は、図２３で示されるように、シャフト部１５０と、可動範囲規制部１５１と、連結板部１５２を備えている。そして、可動範囲規制部１５１は、シャフト連動部１５３と、回動規制部材１５４を有する構造となっている。
【０１３４】
シャフト部１５０は、直立した姿勢で上下方向に延びる筒状の部材であり、内部にケーブルを挿通可能な中空部分が形成されている。この中空部分は、シャフト部１５０の上面から下面までを貫通する孔であり、開口形状が円形であって、同径同軸のまま延びている。
また、シャフト部１５０の長手方向における一端側であり、下端側近傍には、外周面に歯車部１５０ａが形成されている。この歯車部１５０ａは、シャフト部１５０の周方向に所定間隔を空けて並列する外歯が形成されている。言い換えると、周方向に所定間隔を空けて並列する縦溝が全周に亘って形成され、それぞれ上下方向に延びる縦溝の間に歯が形成された状態となっている。
【０１３５】
シャフト部１５０の上端側部分では、下方側から順に、フランジ状の部分と、フランジ状の部分よりも狭径となる外形が略円柱状の部分と、上端側に位置する外形が円筒状の部分が連続した形状となっている。そして、円筒状の部分の外周面の一部には、内側に向かって窪んだ部分である掛止凹部１５０ｂが形成されている。掛止凹部１５０ｂは、周囲よりも内側に窪んだ部分であり、上下方向に延びた状態となっている。
【０１３６】
シャフト連動部１５３は、平面視形状が略円形となる厚板状の本体部分１５３ａと、本体部分１５３ａの側面の一部から外方へ突出直方体状の規制突起部１５３ｂを備えた形状となっている。
本体部分１５３ａの側面は円環状に連続しており、その一部に歯車部１５８が形成されている。歯車部１５８は、側面の周方向に所定間隔を空けて並列する外歯が形成される部分であり、上記した歯車部１５０ａと噛合する部分となっている。また、側面のうちで歯車部１５８とは異なる部分の一部から、規制突起部１５３ｂが外側へ突出した状態となっている。
【０１３７】
回動規制部材１５４は、シャフト連動部１５３の本体部分１５３ａから外側に離れた位置に形成され、本体部分１５３ａの側面の周方向に沿って断続しつつ延びる立壁部１５９を備えた構造となっている。すなわち、立壁部１５９は、いずれも本体部分１５３ａの側面の周方向に延びる複数の立壁部分１５９ａによって形成され、一の立壁部分１５９ａの延設方向における端部と、他の立壁部分１５９ａの延設方向における端部の間に欠落部１５４ｂが形成されている。
【０１３８】
連結板部１５２は、平板状の部材であり、一端側がシャフト連動部１５３における本体部分１５３ａの上面に載置され、他端側が本体部分１５３ａの外側に位置している。そして、他端側には連結板部１５２を厚さ方向（上下方向）に貫通するシャフト挿入孔が形成され、シャフト部１５０が挿通された状態となっている。
すなわち、連結板部１５２は、シャフト部１５０とシャフト連動部１５３が離反することを防止する離反防止部材として機能する。
【０１３９】
可動機構部１４５では、シャフト部１５０の歯車部１５０ａと、シャフト連動部１５３の本体部分１５３ａに形成された歯車部１５８とが噛合した状態となっている。さらに、シャフト連動部１５３の規制突起部１５３ｂが、回動規制部材１５４の欠落部１５４ｂに位置した状態となっている。
このため、シャフト部１５０が垂直軸を中心に回転すると、それに伴ってシャフト連動部１５３の本体部分１５３ａが回転し、規制突起部１５３ｂが平面視で時計回り又は反時計回りに移動する。そして、規制突起部１５３ｂがいずれかの立壁部分１５９ａの延設方向における端部に当接することで、規制突起部１５３ｂのさらなる移動が阻止される。
すなわち、シャフト部１５０は、同方向への所定量以上の回転が規制された状態で取り付けられている。このことにより、面発光モジュール１１０を回動させるとき（図１９参照、詳しくは後述する）、可動域が制限されることとなる。
【０１４０】
電力源収納箱部１４６は、上記した電源供給部４４が収納される部分である（図２２では図示しない、図４等参照）。つまり、本実施形態の第２照明装置２もまた、電源供給部４４を備えた構造となっている。
電力源収納箱部１４６は、両側面のそれぞれに、内部から外部へケーブル（ケーブル部９１）を引き出すためのケーブル挿通部１４６ａ（一方側については図示しない）を備えた構造となっている。このケーブル挿通部１４６ａは、電力源収納箱部１４６の内部空間と外部を連通する部分である。すなわち、ケーブル挿通部１４６ａと、壁面固定部材１１１の筐体の側壁面に形成された欠落部分を内外で重ねた状態とすることで、電力源収納箱部１４６の内部空間と第２照明装置２の外部とを連通する孔状部分が形成されることとなる。
【０１４１】
なお、図示を省略するが、電力源収納箱部１４６には、電力源収納箱部１４６の内部空間と制御基板４２が設置された空間を連通するケーブル挿通孔が形成されている。また、電力源収納箱部１４６の内部には、ケーブル（ケーブル部９１）の一部を掛止するための掛止突起が形成された状態となっている。
【０１４２】
ここで、本実施形態の第２照明装置２では、図２２で示されるように、シャフト部１５０の上端側にシャフト連結板１６５が取り付けられており、このシャフト連結板１６５が背面板１１７の下側突出板部１３２に取り付けられている。このことにより、面発光モジュール１１０は、壁面固定部材１１１に対して可動機構部１４５を介して回動可能に取り付けられることとなる。
【０１４３】
シャフト連結板１６５は、左右方向に延びる平板状の部材であって、長手方向の中心側にシャフト部１５０の上端部分を挿通するための挿通孔が形成されている。この挿通孔は、シャフト連結板１６５を厚さ方向に貫通する貫通孔であり、内周面の一部に内側に向かって突出する突起部（図示しない）が形成されている。
すなわち、挿通孔にシャフト部１５０の上端部分を挿入し、挿通孔の内周面に形成された突起を掛止凹部１５０ｂ（図２３参照）に挿通した状態とすることで、シャフト連結板１６５をシャフト部１５０に対して回動不能な状態に取り付けることが可能となっている。
【０１４４】
この状態で、シャフト部１５０の上端よりやや下方側の部分を切欠溝部１３２ａの内側に位置させ、シャフト連結板１６５の下面の一部を下側突出板部１３２の上面に載置した状態とし、シャフト連結板１６５と下側突出板部１３２とを締結要素等を介して一体に固定する。
【０１４５】
面発光モジュール１１０は、上記したように、この背面板１１７と枠体形成部１１３によって形成されるフレーム部に対し、発光面側保護カバー１４と、発光パネル１５と、添板部材１１６を重ねて形成される積層体を収納して形成される部材となっている（図２０参照）。
すなわち、背面板１１７の上側突起部１３０ａ（図２２参照）を、枠体形成部１１３の上板部分１１３ａ（図２１参照）の内側面に形成された凹部（図示しない）に挿入した状態とする。また、下側突出板部１３２の上面に、枠体形成部１１３の枠体側固定片１２１を載置した状態とし、これらに締結要素を挿通した状態とする。このことにより、背面板１１７と枠体形成部１１３が固定され、フレーム部が形成されることとなる。
【０１４６】
このとき、パネル側基板２４から延びるケーブルは、シャフト部１５０の内部を介し、壁面固定部材１１１の筐体内に引き込まれ、制御基板４２に接続された状態となる。
また、制御基板４２とボタン付基板１４１、制御基板４２と電力源収納箱部１４６の内部に収納された電源供給部４４もまた、ケーブルを介して電気的に接続された状態となっている。
【０１４７】
この面発光モジュール１１０もまた、一方の主面（後側面）が光を放出する発光面を含む面となり、発光する領域と発光しない領域とに区画されるものとなる。
すなわち、この面は、枠板部１１８と、発光面側保護カバー１４の肉厚部分によって形成された面であり、発光面側保護カバー１４の肉厚部分は、上記したパネル本体２０の発光領域２０ａと重なる部分となる。このことから、面発光モジュール１０の一方の主面のうち、発光面側保護カバー１４によって形成される部分であり、中心側に位置する領域が発光する領域（発光面）となっている。そして、この発光する領域の外側を囲んで連続する部分であり、正面視で四角環状に連続する縁端よりの部分が自ら光を発さない面となっている。
また、この発光面を有する主面は、枠板部１１８の中心に位置する貫通孔に発光面側保護カバー１４の肉厚部分が嵌め込まれて形成されている。すなわち、枠板部１１８の後面と、発光面側保護カバー１４の肉厚部分の後面によって形成された、凹凸がなく（略凹凸がなく）広がる一つの平面となっている。
【０１４８】
そして、面発光モジュール１１０の他方の主面（前側面）は、一方の主面の裏面側となる面であり、一方の主面と離間対向するように反対側に位置する面となっている。この面は、背面板１１７の前側面によって形成される面であり、言い換えると、一部材によって形成される面となっている。
ここで、上記したように、背面板１１７と枠体形成部１１３は、主面と直交する方向に締結要素を挿通せず、フレーム部を形成するものとなっている。したがって、面発光モジュール１１０の他方の主面は、ねじ等の締結要素が位置せず、凹凸がなく広がる平面が形成された状態となっている。
【０１４９】
第２照明装置２においても、基準姿勢において、面発光モジュール１１０の最も外側（取り付け時における室内側）に位置する面であるモジュール外側面１９５と、壁面固定部材１１１の最も外側に位置する面である固定部材外側面１９６とが同一平面上に位置した状態となっている（図１９、図２４参照）。
このとき、固定部材外側面１９６もまた、ねじ等の締結要素が位置せず、凹凸がなく広がる平面が形成された状態となっている。
【０１５０】
このとき、面発光モジュール１１０の後面（取り付け時における室内の側壁面側の面）となる発光面を有する主面と、隆起部１１１ｂの後面の上方側の部分もまた同一平面上に位置した状態となっている。
したがって、基準姿勢において平面視したとき（通常設置して上方又は下方からみたとき）、面発光モジュール１１０と隆起部１１１ｂの上面は全域（略全域）で重なった状態となる。
【０１５１】
また、モジュール外側面１９５は、固定部材外側面１９６の上方に離れた位置に位置しており、モジュール外側面１９５、固定部材外側面１９６の間には間隔が形成された状態となっている。すなわち、面発光モジュール１１０の下面（壁面固定部材１１１側の面）と、壁面固定部材１１１の上面（面発光モジュール１１０側の面）とは離間対向した状態となっている。
【０１５２】
さらに、面発光モジュール１１０の一方の側端面と、壁面固定部材１１１の一方の側端面もまた、同一平面上に位置した状態となっている。そして、面発光モジュール１１０の他方の側端面と、壁面固定部材１１１の他方の側端面もまた、同一平面上に位置した状態となっている。
【０１５３】
ここで、取り付け時において、室内の側壁面（取付面６）と面発光モジュール１１０の間には、空間が形成された状態となっている。この空間もまた、上側と、両側方とが開放された空間となっている。
【０１５４】
また、この第２照明装置２は、上記したように、基準姿勢から面発光モジュール１１０を回動軸線（図１９におけるＸ１で示す直線）回りに回動させることが可能となっている。より具体的には、平面視で時計回り（又は反時計回り）に回動可能であり、回動軸線回りに１８０度以上となる所定角度まで回動させることが可能となっている。
そして、基準姿勢から面発光モジュール１１０を平面視で時計回り（又は反時計回り）に１８０度回動させることで、回動後姿勢へ移行する。
なお、面発光モジュール１１０は、１８０度回動させるだけでなく、０度より大きく１８０度以下となる所定角度だけ回動させた状態を維持させることができる。
【０１５５】
この第２照明装置２では、回動後姿勢においても、面発光モジュール１１０の最も外側に位置する面である発光面を有する主面と、固定部材外側面１９６とが同一平面上に位置した状態となっている。
すなわち、基準姿勢と回動後姿勢では、面発光モジュール１１０の一方の主面と他方の主面の位置が入れ替わった状態となり、面発光モジュール１１０の一方の側面と他方の側面の位置が入れ替わった状態となる。しかしながら、面発光モジュール１１０の各面と壁面固定部材１１１の各面の位置関係は、上記した基準姿勢の位置関係に準じたものとなる。したがって、回動後姿勢における各面の位置関係についての詳細な説明を省略する。
【０１５６】
この第２照明装置２は、基準姿勢では室内の側壁面に光を照射する間接照明としての使用が可能であり、回動後姿勢では、居住空間に光を照射する直接照明としての使用が可能である。加えて、０度より大きく１８０度以下となる所定角度だけ回動させた状態とすることで、図１で示されるように、壁面に取り付けた絵画や掛け軸のような照明対象に光を照射するスポットライトとしての使用が可能となっている。
【０１５７】
この第２照明装置２においても、ボタン付基板１４１の一部が外部に露出し、操作ボタンが形成されている（図１８等参照）。そして、この操作ボタンを押下することで、上記した第１照明装置１の操作ボタンを押下したときと同様の動作が可能となる。また、第１照明装置１と同様に、外部操作機器を操作することによっても操作ボタンを押下したときと同様の動作を実施させることが可能となっている。
【０１５８】
続いて、第３照明装置３について説明する。なお、上記した第１照明装置１と同様の部分については、同じ符号を付し、説明を省略する。
【０１５９】
第３照明装置３は、特に限定されるものではないが、図１で示されるように、室内空間の床近傍を照らすやフットライトとして好適に使用可能となっている。
【０１６０】
第３照明装置３は、図２５、図２６で示されるように、厚板状の面発光モジュール２１０と壁面固定部材２１１を備えており、面発光モジュール２１０が壁面固定部材２１１に対して回動可能な構造となっている。このとき、上記した第１照明装置１と同様に、回動軸線が左右方向に延びる直線となっている。
すなわち、第１照明装置１と同様に、面発光モジュール２１０が直立した姿勢となる基準姿勢（図２６（ａ）参照）から、面発光モジュール２１０が横倒した姿勢となる回動後姿勢（図２６（ｃ）参照）の間で回動させることが可能となっている。
なお、以下で説明では、特に断りのない限り、方向、各部材の位置関係等は基準姿勢時を基準とする。
【０１６１】
面発光モジュール２１０は、図２７で示されるように、枠体形成部２１３と、発光面側保護カバー１４と、発光パネル１５と、パネル側磁石２１６を取り付けた背面板２１７を重ねて形成される部分となっている。
【０１６２】
また、壁面固定部材２１１は、ケース本体部２２５とケース裏面板２２６によって形成されるケース２２７の内部に、ボタン付基板２４１、制御基板４２、固定部材側磁石２４４を収納して形成されている。このとき、ケース２２７の一部には、窓板部５１、取付用板部２４５が取り付けられている。
さらに、壁面固定部材２１１の背面側には、電源供給部４４が取り付けられた状態となっている。そして、面発光モジュール２１０（背面板２１７）の下面側と、ケース本体部２２５とが可動機構部２５２（可動部）を介して接続された状態となっている。
なお、パネル側磁石２１６、固定部材側磁石２４４は、いずれも略直方体状の永久磁石となっている。
【０１６３】
枠体形成部２１３は、上記した枠体形成部１１３と同様に、正面視において四角環状に連続する立板状の枠板部２１３ａと、枠板部２１３ａの周縁部分から後方（枠板部２１３ａの厚さ方向）へ突出する周壁形成部２１３ｂを備えた構造となっている。そして、周壁形成部２１３ｂは、上端に位置する平板状部分２１４と、左右方向で離間対向する２つの立板状部分２１５を有している。
なお、枠板部２１３ａの内側面（後面）には、背面板２１７の前面側と当接させるリブ（図示しない）と、位置決用孔２３５ａ（詳しくは後述する）に挿入可能な突起部（図示しない）が形成されている。また、立板状部分２１５の下端側には、この部分を厚さ方向（左右方向）に貫通する取付用孔が形成されている。
【０１６４】
背面板２１７は、図２８で示されるように、立板状の板本体部２３０を有しており、板本体部２３０に磁石挿入用凹部２３１、基板配置用突起２３２、側端側隆起部２３３、下端側隆起部２３４が形成された構造となっている。
さらに、板本体部２３０の下方側であり、左右方向の両端側のそれぞれには、取付用突起部２３５が一体に形成されている。また、それぞれの取付用突起部２３５の内側に隣接する位置には、可動機構取付部２６０（詳しくは後述する）を形成するためのモジュール下面形成部２３６が形成されている。
【０１６５】
磁石挿入用凹部２３１は、板本体部２３０の上方であり、左右方向の中心近傍に形成される凹部であり、平面視形状が略四角形状で後方側へ向かって窪んだ凹部である。
【０１６６】
基板配置用突起２３２は、対となる２つの突起部分によって構成されており、それぞれの突起部分は、板本体部２３０の前面（取り付け時おける室内側）から前方に突出し、上下方向に延びる略直方体状の突起となっている。それぞれの突起部分は、左右方向で所定の間隔を空けて並列しており、その突出端面が組み立て時に枠板部２１３ａの内側面（図２７参照）と当接する部分となっている。そして、２つの突起部分の間に形成される空間であり、磁石挿入用凹部２３１から下方側に離れた位置に形成された空間が、発光パネル１５の裏面側に位置するパネル側基板２４（図４等参照）を配置するための空間となる。
【０１６７】
側端側隆起部２３３は、板本体部２３０の左右方向における両端側のそれぞれに形成され、板本体部２３０の縁端に沿って上下方向に延びる略直方体状の部分である。この側端側隆起部２３３は、板本体部２３０の前面から前方へ隆起した部分である。
また、下端側隆起部２３４は、２つの側端側隆起部２３３の下端部同士の間で一部欠落しつつ延びる部分であり、板本体部２３０の前面から前方へ隆起した部分となっている。
【０１６８】
取付用突起部２３５は、略直方体状の部分であり、前端面に位置決用孔２３５ａが形成され、左右方向における外側側面に枠体取付用孔２３５ｂが形成されている。位置決用孔２３５ａは開口形状が円形で後方へ向かって窪んだ有底孔である。また、枠体取付用孔２３５ｂは、左右方向において外側から内側へ向かう方向に窪んだ有底孔であり、締結要素を挿通可能な孔となっている。
【０１６９】
モジュール下面形成部２３６は、下端側隆起部２３４の前面下端側から前方へ突出する平板状の部分と、この平板状の部分の下方側であって取付用突起部２３５と隣接する位置に形成される略直方体状の部分とが一体となって形成される部分となっている。略直方体状は、下面に上方に向かって窪む凹部（図２８では図示しない）が形成されており、この凹部が可動機構取付部２６０（詳しくは後述する）の一部を形成する。
【０１７０】
なお、背面板２１７の下端側であって左右方向の中心近傍には、欠落部２３７が形成されている。この欠落部２３７は、左右方向に延びる下端側隆起部２３４の一部と、モジュール下面形成部２３６における左右方向に延びる平板状の部分の一部とが欠落して形成されている。この欠落部２３７は、ケーブル挿通用孔２６１（詳しくは後述する）を形成する部分となっている。
【０１７１】
面発光モジュール２１０は、図２７で示されるように、枠体形成部２１３と背面板２１７によって形成されるフレーム部に、発光面側保護カバー１４と発光パネル１５を重ねて形成される積層体を収納して形成される部分となっている。
【０１７２】
ここで、この面発光モジュール２１０もまた厚板状の部材であり、上記した面発光モジュール１１０と同じく、一方の主面（前側面）が光を放出する発光面を含む面となり、発光する領域と発光しない領域とに区画されるものとなる（図２５等参照）。
すなわち、この発光面を有する主面は、枠板部２１３ａの中心に位置する貫通孔に発光面側保護カバー１４の肉厚部分が嵌め込まれて形成されている。すなわち、枠板部２１３ａの後面と、発光面側保護カバー１４の肉厚部分の後面によって形成された面は、凹凸がなく（略凹凸がなく）広がる一つの平面となっている。
【０１７３】
具体的に説明すると、枠体形成部２１３と背面板２１７を固定する際、上側部分では、平板状部分２１４（図２７参照）の内側面（下面）に形成された溝部（図示しない）に対し、背面板２１７の上端側の一部を挿入する。そして、下側部分では、立板状部分２１５の下端側に形成された取付用孔と、枠体取付用孔２３５ｂ（図２８参照）を重ね合わせ、これらに締結要素を挿通する。
このことから、面発光モジュール２１０の一方の主面は、ねじ等の締結要素が位置せず、凹凸がなく広がる平面が形成される。
【０１７４】
ここで、面発光モジュール２１０の下面側には、図２９で示されるように、可動機構部２５２を取り付けるための可動機構取付部２６０が形成されている。
可動機構部２５２は、上記した可動機構部５２（図１１参照）と略同形の部材であり、連結棒部２８０にケーブル挿通用孔２８０ａと、突起挿通用孔２８０ｂが形成されている点で上記した可動機構部５２と異なるものとなっている。
ケーブル挿通用孔２８０ａは、連結棒部２８０の湾曲面側の一部を欠落させて形成される貫通孔であり、外部と連結棒部２８０の内部空間を連通する孔となっている。
突起挿通用孔２８０ｂは、内外連通孔８０ｂの開口と、可動片取付用孔８０ｃの開口の間に開口が形成された孔であり、開口から連結棒部２８０の湾曲面側に延びる孔であって、外部と連結棒部２８０の内部空間を連通する孔となっている。
【０１７５】
可動機構取付部２６０は、面発光モジュール２１０の下面（図２９では上側の面）に形成され、上方（図２９では下方）へ窪んだ部分である。この可動機構取付部２６０は、取付片部８１を固定するための片部固定部２６０ａと、連結棒部２８０を配置するための連結棒配置部２６０ｂを備えた構造となっている。
【０１７６】
片部固定部２６０ａは、左右方向の片側端部よりの位置と、他方側端部よりの位置にそれぞれ形成されており、２つの片部固定部２６０ａの間に連結棒配置部２６０ｂが位置した状態となっている。
連結棒配置部２６０ｂは、片部固定部２６０ａよりも深く窪んだ部分であり、連結棒配置部２６０ｂの底部分を形成する面（上面であり図２９では下面）は、片部固定部２６０ａの底部分を形成する面よりも深さ方向奥側（上側であり図２９では下側）に位置した状態となっている。片部固定部２６０ａの底部分と連結棒配置部２６０ｂの底部分とは、段差を介して連続した状態となっている。
【０１７７】
片部固定部２６０ａの底部分には、取付片部８１の一部（取付板部８１ａ）を嵌め込み可能な係合凹部が形成されており、さらにこの係合凹部の底面に締結要素を挿通するための孔が形成されている。
【０１７８】
連結棒配置部２６０ｂは、下方側と後方側（面発光モジュール２１０の発光面を有さない主面側）が開放された窪み部分となっている。連結棒配置部２６０ｂ（可動機構取付部２６０）の左右方向における中心近傍には、面発光モジュール２１０の内外を連通するケーブル挿通用孔２６１が形成された状態となっている。
ケーブル挿通用孔２６１は、連結棒配置部２６０ｂの底面（上面であり図２９では下面）に形成される開口形状が略四角形状の孔となっている。
【０１７９】
この可動機構取付部２６０に可動機構部２５２を取り付ける際には、２つの片部固定部２６０ａにそれぞれ形成された係合凹部に対し、それぞれ異なる取付板部８１ａを嵌め込んだ状態とする。言い換えると、取付板部８１ａの厚さ方向における一端面と、係合凹部の底面とが面接触した状態となる。そして、係合凹部に形成した取付用孔と、取付板部８１ａに形成された貫通孔とを重ねた状態とし、これらに締結要素を挿通する。
このとき、連結棒配置部２６０ｂに連結棒部２８０が配された状態となる。そして、連結棒部２８０のケーブル挿通用孔２８０ａに、ケーブル挿通用孔２６１から引き出したケーブル（パネル側基板２４から延設されるケーブル）を挿入し、連結棒部２８０の内部空間を通過させた後、内外連通孔８０ｂから引き出した状態とする。
【０１８０】
具体的には、図３０で示されるように、第３照明装置３の組み立て時において、パネル側基板２４から延設されるケーブルは、連結棒部２８０の内部を経て、壁面固定部材２１１のケース２２７の内部に引き込まれた状態となる。言い換えると、面発光モジュール２１０の内部から、可動機構部２５２の内部を介し、壁面固定部材２１１の内部に連なるケーブルを延ばすための経路が形成された状態となる。
そして、ケース２２７の内部に収納された制御基板４２まで延設され、パネル側基板２４と制御基板４２とがケーブルを介して電気的に接続された状態となる。
したがって、図３１で示されるように、ケース本体部２２５に形成された連結棒取付部２８５は、内外を連通する貫通孔（ケーブル挿通孔２８５ｂ）が形成された状態となっている。
【０１８１】
ここで、ケース本体部２２５は、側面視が略Ｌ字状で後方部分が開放された箱状の部材となっている。そして、ケース２２７の上側部分を形成する上側部２２５ａと、ケース２２７の下側部分を形成する下側部２２５ｂとを備えた構造となっている。
上側部２２５ａは、下側部２２５ｂに比べて厚さが薄く（前後方向の長さが短く）なっており、下側部２２５ｂの後方上側から上方に突出した状態となっている。したがって、上側部２２５ａの前面（取り付け時における室内側の面）は、下側部２２５ｂの上面の段差を介して連続した状態となっている。
【０１８２】
そして、連結棒取付部２８５は、上側部２２５ａの前面のうち、左右方向の中心近傍であって下端近傍となる部分に形成されている。
【０１８３】
連結棒取付部２８５は、正面視形状が横長長方形状となる窪み部分であって、後方に凸となるように窪んだ部分となっている。
そして、連結棒取付部２８５の底を形成する部分（後端側部分）には、左右方向の両端側にそれぞれ取付用孔２８５ａが形成されている。この取付用孔２８５ａは、開口形状が円形で連結棒取付部２８５の底部分を貫通する孔となっている。さらに、左右方向の中央側には、開口形状が四角形状で左右方向に延びるケーブル挿通孔２８５ｂが形成されている。ケーブル挿通孔２８５ｂもまた、連結棒取付部２８５の底部分を貫通する孔となっている。
また、連結棒取付部２８５の底を形成する部分において、一方の取付用孔２８５ａとケーブル挿通孔２８５ｂの間に位置する部分には、前方へ突出する位置決め突起２８５ｃが形成されている。
【０１８４】
このケース本体部２２５に連結棒部２８０を固定する際には、図２７で示されるように、連結棒取付部２８５の底板部分と、連結棒部２８０の短手方向の一端面（図２９の手前側の面）とを面接触させた状態とする。このとき、連結棒部２８０の突起挿通用孔２８０ｂ（図２９参照）に、連結棒取付部２８５の位置決め突起２８５ｃ（図３１参照）を挿通した状態とする。さらに、可動片取付用孔８０ｃ（図２９参照）と、連結棒取付部２８５の取付用孔２８５ａ（図３１参照）とを重ね合わせて連通孔を形成する。そして、この連通孔に、ケース本体部２２５の裏面側（内側面側）から締結要素を挿通し、一体に固定する。
このとき、連結棒部２８０の内外連通孔８０ｂ（図２９参照）の少なくとも一部と、連結棒取付部２８５とケーブル挿通孔２８５ｂの少なくとも一部とが前後方向で重なり、一連の連通孔を形成する。この連通孔が、上記したパネル側基板２４から延びるケーブルを挿通させる孔となる。
【０１８５】
下側部２２５ｂの前面には、図３１で示されるように、窓板部５１（図２７等参照）を取り付けるための窓部取付用凹部２８８が形成されている。
窓部取付用凹部２８８は、上記した外側箱部５０ａの前側に形成される窪み部分と同様に、正面視形状が四角形状となるように内側へ向かって窪んだ窪み部分であり、底を形成する部分にケース本体部２２５の内外を貫通する貫通孔が形成されている。すなわち、底を形成する部分は、正面視で略四角環状となるように連続する板状体となっている。
そして、窓板部５１が窓部取付用凹部２８８に嵌め込まれることで、窓板部５１の内側面の縁端側に位置する一部が窓部取付用凹部２８８の底部分と面接触し、窓板部５１の中央側部分と底部分の貫通孔とが重なった状態となる。さらに、下側部２２５ｂの前面（外側面）では、窓板部５１が周囲の部分と段差なく（又は略段差なく）連続する同一平面を形成した状態となる。
【０１８６】
壁面固定部材２１１におけるケース２２７の下方側の内部には、図３３で示されるように、ボタン付基板２４１、制御基板４２がいずれも直立した姿勢で取り付けられている。
また上方側の内部には、左右方向の中心近傍となる位置に、固定部材側磁石２４４が取り付けられている。
【０１８７】
ボタン付基板２４１は、上記したボタン付基板１４１と主要な構成要素が同様となる部材であり、ボタン形成部の各部の形状が上記したボタン付基板４１のものとは異なるものとなっている。
このボタン付基板２４１は、ケース２２７の一側端面の近傍に配されており、上記したボタン付基板１４１と同様に、一部がケース２２７の側面に形成された貫通孔から外部に露出し、操作ボタンが形成されている（貫通孔及び露出部分については図示しない）。
この操作ボタンは、上記した操作ボタンと同様に、電源ボタンとしての機能や、調光ボタンとしての機能を備えたものとなっている。
また、ボタン付基板２４１は、ケーブルを介して制御基板４２に電気的に接続された状態となっている。
【０１８８】
制御基板４２は、厚さ方向が前後方向と同方向となるように直立した姿勢で取り付けられており、左右方向における一端側近傍から、他端側近傍であってボタン付基板２４１よりも内側となる部分までの間に配されている。
このとき、制御基板４２の一部（受信用基板が重ねて配置された部分）は、窓板部５１の後方側に離れた位置に配された状態となっている。すなわち、窓板部５１と、窓部取付用凹部２８８の底部分に形成された貫通孔（図３１参照）と、制御基板４２の一部は前後方向で重なるように配置された状態となっている。
【０１８９】
ケース裏面板２２６は、図２７、図３２で示されるように、ケース本体部２２５の後方側（図３２では手前側）の大部分を閉塞する部材であり、ケース２２７の後端側部分を形成する部材である。そして、図３２で示されるように、上側部分に取付用板部２４５を配置するための板部配置用孔２２６ａが形成されており、下側部分に電源供給部４４を収納するための電源配置部２９０が形成されている。
【０１９０】
取付用板部２４５は、図３３で示されるように、立板状の本体板部２４５ａと、本体板部２４５ａの縁端部分と一体に形成される取付片部２４５ｂを有している。
【０１９１】
本体板部２４５ａは、室内の側壁面への取り付け時に必要に応じて使用する取付用孔が形成されており、この取付用孔は、本体板部２４５ａを厚さ方向（前後方向）に貫通する貫通孔となっている。
この本体板部２４５ａは、壁面固定部材２１１の裏面の一部を形成する部分となっている（図３２参照）。
【０１９２】
取付片部２４５ｂは、図３３で示されるように、前方側へ突出する板状の連結片部２９１と、連結片部の突出端側を折り曲げて形成される掛止板部２９２とを備えた構造となっている。掛止板部２９２は、厚さ方向（前後方向）が本体板部２４５ａの厚さ方向と同方向となる板状の部分であり、組み立て時において、ケース本体部２２５とケース裏面板２２６（図３２等参照）の間に位置する部分となっている。
なお、掛止板部２９２には、縁端部分の一部を欠落させて形成される欠落部２９２ａが適宜形成されている。この欠落部は、ケース裏面板２２６に形成された突起部分（詳細な図示を省略する）を嵌め込み可能な部分となっている。つまり、掛止板部２９２は、ケース裏面板２２６と係合可能な部分であり、取付用板部２４５がケース２２７に取り付けられた状態で、ケース裏面板２２６と係合する。
【０１９３】
電源配置部２９０は、正面視した形状が上下逆となる略Ｔ字状となるように形成され、前方へ窪んだ凹部となっている。電源配置部２９０の一部には、内外を連通する貫通孔が形成されており、電源供給部４４から延びるケーブルを挿通することで、このケーブルの一端側を制御基板４２（図３３参照）に接続することが可能となっている。すなわち、電源供給部４４と制御基板４２は、組み立て時において、ケーブルを介して電気的に接続された状態となっている。
電源配置部２９０には、左右方向の両端部それぞれの近傍に、ケーブル掛止部２９０ａが形成されている。ケーブル掛止部２９０ａは、上記したケーブル掛止部８７と同様に、対となる２つの突起部分によって形成される部分であり、上下方向の中心近傍にケーブルを掛止するための溝部が形成されている。
【０１９４】
ここで、ケース２２７の両側面のそれぞれには、電源配置部２９０の内部と外部を連通するケーブル挿通用切欠部２９３が形成されている。
このケーブル挿通用切欠部２９３は、上記したケーブル挿通用切欠部６１と同様に、ケース２２７の側面壁の一部を欠落させて形成される部分である。すなわち、側面視形状が横倒した略Ｕ字状となる切り欠き部分であり、前端側が丸みを帯びた形状となっている。
【０１９５】
第３照明装置３においても、基準姿勢において、面発光モジュール２１０の最も外側（取り付け時における室内側）に位置する面であるモジュール外側面２９５と、壁面固定部材２１１の最も外側に位置する面である固定部材外側面２９６とが同一平面上に位置した状態となっている（図２５参照）。これらモジュール外側面２９５、固定部材外側面２９６は、上記したように、いずれも凹凸がなく広がる平面が形成された状態となっている。
【０１９６】
また、上記した第１照明装置１では、面発光モジュール１０の発光面を有さない主面がモジュール外側面９５となる構造であったが、この第３照明装置３では、面発光モジュール２１０の発光面を有する主面がモジュール外側面２９５となっている。
すなわち、第３照明装置３は、上記した第１照明装置１とは異なり、基準姿勢時において室内空間側に光を照射するものであり、言い換えると、基準姿勢時において直接照明として使用される照明となっている。
【０１９７】
また、モジュール外側面２９５は、固定部材外側面２９６の上方に離れた位置に配されており、モジュール外側面２９５、固定部材外側面２９６の間には間隔が形成された状態となっている。すなわち、面発光モジュール２１０の下面（壁面固定部材２１１側の面）と、壁面固定部材２１１の上面（面発光モジュール２１０側の面）とは離間対向した状態となっている。
【０１９８】
また、面発光モジュール２１０の一方の側端面と、壁面固定部材２１１の一方の側端面もまた、同一平面上に位置した状態となっている。そして、面発光モジュール２１０の他方の側端面と、壁面固定部材２１１の他方の側端面もまた、同一平面上に位置した状態となっている。加えて、面発光モジュール２１０の上端面と、壁面固定部材２１１の上端面もまた同一平面上に位置した状態となっている。
【０１９９】
なお、面発光モジュール２１０の側端面は、壁面固定部材２１１の側端面のうち上側に位置する部分から前方に離れた位置に配されており、これらの間には間隔が形成された状態となっている。その一方、面発光モジュール２１０の側端面は、壁面固定部材２１１の側端面のうち下側前方に位置する部分から上方に離れた位置に配されており、これらの間にも間隔が形成された状態となっている。加えて、面発光モジュール２１０の上端面は、壁面固定部材２１１の上端面から前方に離れた位置に配されており、これらの間には間隔が形成された状態となっている。
これらのことから、面発光モジュール２１０の後側面は、壁面固定部材２１１の上側部分の前面と離間対向した状態となっている。
【０２００】
ところで、壁面固定部材２１１は、上記したように、側面視した形状が略Ｌ字状となる部材であり、下側に位置する直方体状の部分の前後方向の長さが、上側に位置する厚板状の部分の同方向の長さよりも長くなっている。言い換えると、壁面固定部材２１１は、前方上側の部分を欠落させた略直方体状の部材であり、この欠落部分の形状もまた略直方体状となっている。
そして、面発光モジュール２１０は、この欠落部分と、前後方向、上下方向、左右方向の長さが略同一となっている。具体的には、前後方向、上下方向の長さがわずかに短く（数パーセント程度短く）、左右方向の長さが同一となっている。このことから、面発光モジュール２１０は、この欠落部分に略丁度収まる形状となっている。
以上のことから、第３照明装置３は、基準姿勢において、全体の外形が略直方体状となるものとなっている。
【０２０１】
このように、第３照明装置３の全体の外形を略直方体状とすると、室内への取り付け時にいずれの方向からみてもいびつな凹凸がなく、室内で際立って目立つことのない美しい形状とすることができる。
【０２０２】
この第３照明装置３は、上記した第１照明装置１と同様に、基準姿勢から面発光モジュール２１０を回動させることで、面発光モジュール２１０が横倒した姿勢となる回動後姿勢をとることが可能となっている（図２６（ｃ）参照）。
なお、第１照明装置１では、回動後姿勢において面発光モジュール１０の発光面が上方を向いているのに対し、第３照明装置３では、発光面が下方を向いている点で異なっている。このため、第３照明装置３を室内壁の下方側に取り付け、室内の床上空間を照らすフットライトとして使用したとき、回動後姿勢とすると、床面に向かって光を照射する間接照明となる。
【０２０３】
すなわち、第３照明装置３もまた、図２６で示されるように、面発光モジュール２１０が壁面固定部材２１１に対して回動可能となっている。そして、基準姿勢時の面発光モジュール２１０の発光面と、回動後の面発光モジュール２１０の発光面のなす角θが０度以上９０度以下となる範囲を可動域として回動するものとなっている（図３４参照）。
この第３照明装置３においても、面発光モジュール２１０は、最大可動させるだけでなく、可動域内の所定角度だけ回動させた状態を維持させることができる。
【０２０４】
なお、面発光モジュール２１０は、可動域内のいずれの位置に配された状態においても、面発光モジュール２１０の側端面と、壁面固定部材２１１の側端面が同一平面上に位置した状態が維持される。したがって、回動中においても同様に、これらが同一平面上に位置した状態が維持される。
【０２０５】
なお、上記した第１照明装置１では、面発光モジュール１０と壁面固定部材１１を可動片部３０と可動機構部５２によって形成される可動部によって連結した例を示した。また、第２照明装置２では、可動機構部１４５とシャフト連結板１６５によって形成される可動部によって連結し、第３照明装置３では、可動部として機能する可動機構部２５２によって連結した。
しかしながら、面発光モジュールと壁面固定部材は、このような連結構造に替わって、ユニバーサルジョイント（自在継手）を介して連結する構造としてもよい。
この場合、左右方向に延びる直線や、上下方向に延びる直線のみを回転中心軸線として回動させるだけでなく、それぞれ異なる方向に延びる複数の直線を回転中心軸線として多様な方向へ回動させることが可能となる。
【０２０６】
例えば、図３５で示されるように、厚板状の面発光モジュール４１０と、略直方体状の壁面固定部材４１１を自在継手部４１２（可動部）によって連結してもよい。
なお、面発光モジュール４１０と、壁面固定部材４１１は、可動部及びその周辺の部分を除いて、上記した第１照明装置１と同様の構造となっている。
具体的には、面発光モジュール４１０の下端部分を固定するため、ケース部４４０の内側面に内側へ突出する板状の継手取付台部（図示しない）を形成した点、ケース部４４０の上面に内外を連通する継手部挿通孔を形成した点等が異なるものとなっている。また、面発光モジュール４１０の下側部分に自在継手部４１２の上端側を固定するための継手取付部を形成した点等が異なるものとなっている。
【０２０７】
このように自在継手部４１２によって連結する構造とすると、上記した第１照明装置１のように左右方向に延びる直線を回転中心軸線として回動する動作に加え、上下方向に延びる直線を回動軸線としての回動が可能となる。さらには、上下方向に延びる直線を回動軸線として面発光モジュール４１０を所定角度だけ回動させた姿勢で、前方（取り付け時における室内側）へ倒れ込ませるように回動させることが可能となる。また、上下方向に延びる直線を回動軸線として回動させつつ、左右方向に延びる直線を回転中心軸線として回動させることが可能となる。
【０２０８】
さらに、図３６で示されるように、厚板状の面発光モジュール５１０と、側面視した形状が略Ｌ字状となる壁面固定部材５１１を自在継手部５１２（可動部）によって連結してもよい。
なお、面発光モジュール５１０と、壁面固定部材５１１は、可動部及びその周辺の部分を除いて、上記した第２照明装置２と同様の構造となっている。
具体的には、面発光モジュール５１０の下端部分を固定するため、壁面固定部材５１１の筐体内部に継手取付台部（図示しない）を形成した点が異なるものとなっている。また、上記した第２照明装置２では、シャフト部１５０の内部にパネル側基板２４から延びるケーブルを挿通させる構造としたが、自在継手部５１２から離れた位置でケーブルを延設した点で異なっている。すなわち、面発光モジュール５１０の下面を貫通する貫通孔と、壁面固定部材５１１の上面を貫通する貫通孔によって形成されるケーブル挿通部５１３を可動部である自在継手部５１２から離れた位置に形成した点で異なっている。また、面発光モジュール５１０の下側部分に自在継手部５１２の上端側を固定するための継手取付部を形成した点等が異なるものとなっている。
【０２０９】
このように自在継手部５１２によって連結する構造とすると、上記した第２照明装置２のように上下方向に延びる直線を回転中心軸線として回動する動作に加え、左右方向に延びる直線を回動軸線としての回動が可能となる。また、面発光モジュール５１０の上面や壁面固定部材５１１の下面と交わり、斜め方向に延びる直線を回動軸線としての回動もまた、可能となる。
【０２１０】
また、自在継手部を介して連結する構造としたとき、面発光モジュールの可動域を制限するための動作規制部を設けてもよい。
例えば、壁面固定部材５１１のうち、取り付け時に室内の側壁面から室内側に突出する厚板状の本体部５１１ａに、上面から上方に突出する板状部分を設け、動作規制部としてもよい。すなわち、面発光モジュール５１０が可動範囲を超えて回動しようとしたとき、面発光モジュール５１０が板状部分に当接することで、それ以上の回動が阻止される構造としてもよい。また、当接による破損を防止するという観点から、板状部材に替わってゴム等の弾性変形可能な材料で形成された棒状体としてもよい。
【０２１１】
また、上記した照明装置は、壁面形成部材の内部に、動力源生成部として機能するモータ、歯車、クラッチ等の動力伝達機構を有する構造として、面発光モジュールが自動的に回動する構造してもよい。
例えば、上記した第１照明装置１において、可動機構部５２に替わって、モータの回転に連動するシャフトに対し、連結棒部８０と略同形となる棒状部材を固定し、この棒状部材に面発光モジュール１０を固定する構造としてもよい。また、他の例として、上記した第２照明装置２において、可動機構部１４５に替わって、モータの回転に連動するギアとシャフト部１５０を噛合させた構造としてもよい。
【０２１２】
このような照明装置は、外部操作機器の操作ボタンを押下することで、発光状態と非発光状態の切り替え動作、調光動作、面発光モジュールの回動動作（光照射方向変更動作）が可能な構造となっている。例えば、外部操作機器を操作することで、面発光モジュールを自動的に回動させ、室内の側壁面側を向かせた状態と、天井面を向かせた状態の切り替えが可能となっている。
【０２１３】
そして、複数の照明装置を室内に取り付けた状態（図１等参照）において、外部操作機器を操作することで、それぞれの照明装置の面発光モジュールが予め定められた方向を向き、且つ、予め定められた明るさで発光するように一斉に調整することが可能となっている。
具体的に説明すると、それぞれの照明装置に対して、発光状態と非発光状態のいずれの状態とするのか、発光状態とする場合の明るさ、面発光モジュールの発光面の向き等の設定をしておき、この設定情報を予め記憶手段に記憶させておく。
なお、この記憶手段は、複数の照明装置と外部操作機器のいずれか一つが備えていればよく、それぞれに内蔵されるいずれかの基板に実装されるメモリであってもよい。
そして、外部操作機器が操作されることで、この設定情報に基づき、それぞれの照明装置が必要に応じて各種動作（発光状態と非発光状態の切り替え動作、調光動作、発光面の向きの変更又は発光面の向きの維持）を自動で実行する。
【０２１４】
このように、複数の照明装置を一斉に調整可能な構造によると、洗練された印象の空間を簡単に実現（又は再現）することができる。つまり、室内等の各種照明用機器から光が照射される光空間を最も美しく見える状態へ簡単に移行させることが可能となる。
【０２１５】
上記した実施形態では、発光パネル１５として有機ＥＬパネルを採用した例を示したが、本発明はこれに限るものではない。発光パネルとして、ＬＥＤを面状に並べたＬＥＤパネルや、ＬＥＤ及び拡散板を組み合わせたＬＥＤパネルのような面発光パネルを採用してもよい。また、上記した実施形態では、発光パネルに平面パネルを採用したが、曲面パネルであってもよい。
【０２１６】
上記した実施形態では、照明装置を室内空間の側壁面（取付面６）に取り付ける例を示したが、側壁面に替わって天井面や床面に取り付けてもよい。しかしながら、上記したように、室内空間の側壁面に取り付けることが、洗練された印象の空間を形成する上で好ましい。
【符号の説明】
【０２１７】
１  第１照明装置１（面発光装置）
２  第２照明装置２（面発光装置）
３  第３照明装置３（面発光装置）
６  取付面
１０，１１０，２１０，４１０，５１０  面発光モジュール
１１，１１１，２１１，４１１，５１１  壁面固定部材
１５  発光パネル（面発光パネル）
２５２  可動機構部（可動部）
４１２，５１２  自在継手部（可動部）
【図１】
2018060681.tif 000003
【図２】
2018060681.tif 000004
【図３】
2018060681.tif 000005
【図４】
2018060681.tif 000006
【図５】
2018060681.tif 000007
【図６】
2018060681.tif 000008
【図７】
2018060681.tif 000009
【図８】
2018060681.tif 000010
【図９】
2018060681.tif 000011
【図１０】
2018060681.tif 000012
【図１１】
2018060681.tif 000013
【図１２】
2018060681.tif 000014
【図１３】
2018060681.tif 000015
【図１４】
2018060681.tif 000016
【図１５】
2018060681.tif 000017
【図１６】
2018060681.tif 000018
【図１７】
2018060681.tif 000019
【図１８】
2018060681.tif 000020
【図１９】
2018060681.tif 000021
【図２０】
2018060681.tif 000022
【図２１】
2018060681.tif 000023
【図２２】
2018060681.tif 000024
【図２３】
2018060681.tif 000025
【図２４】
2018060681.tif 000026
【図２５】
2018060681.tif 000027
【図２６】
2018060681.tif 000028
【図２７】
2018060681.tif 000029
【図２８】
2018060681.tif 000030
【図２９】
2018060681.tif 000031
【図３０】
2018060681.tif 000032
【図３１】
2018060681.tif 000033
【図３２】
2018060681.tif 000034
【図３３】
2018060681.tif 000035
【図３４】
2018060681.tif 000036
【図３５】
2018060681.tif 000037
【図３６】
2018060681.tif 000038